(57)【要約】【課題】  光記録媒体の判別からユーザー情報等の記録再生開始までのリードタイムを短くし、且つ、低コストで光ディスクの判別を可能とする識別方法を提供する。【解決手段】  光記録媒体に記録された少なくとも識別情報を含む情報を再生する方法であって、所定のスポットサイズを有する第１光ビームを照射して情報再生が行われる第１光記録媒体に、第１光ビームより小さなスポットサイズを有する第２光ビームを照射し、第１光記録媒体からの第２光ビームに基いて第１光記録媒体の識別情報を再生する。【選択図】  図５
2006120199.tif 000002
【特許請求の範囲】
【請求項１】
光記録媒体に記録された少なくとも識別情報を含む情報を再生する方法であって、
所定のスポットサイズを有する第１光ビームを照射して情報再生が行われる第１光記録媒体に、第１光ビームより小さなスポットサイズを有する第２光ビームを照射することと、
第１光記録媒体からの第２光ビームに基いて第１光記録媒体の識別情報を再生することとを含む光記録媒体の情報再生方法。
【請求項２】
第１光ビームを第１光記録媒体に照射して情報再生する際の第１光ビームの波長をλ１、対物レンズの開口数をＮＡ１及び第１光記録媒体の線速度をＶ１とし、該再生条件下における第１光ビームの最大再生パワーをＰｒ１ｍａｘとし、また、第２光ビームを第１光記録媒体に照射して第１光記録媒体の識別情報を再生する際の第２光ビームの波長をλ２、対物レンズの開口数をＮＡ２、第１光記録媒体の線速度をＶ２及び第２光ビームの再生パワーをＰｒ２としたとき、
Ｐｒ２≦｛（λ２ＮＡ１）／（λ１ＮＡ２）｝２Ｐｒ１ｍａｘ（Ｖ２／Ｖ１）１／２
の関係が満たされるように、第２光ビームの再生パワーＰｒ２を設定することを特徴とする請求項１に記載の情報再生方法。
【請求項３】
第１光ビームを第１光記録媒体に照射して情報再生する際の第１光ビームの波長をλ１、対物レンズの開口数をＮＡ１及び第１光記録媒体の線速度をＶ１とし、該再生条件下における第１光ビームの最大再生パワーをＰｒ１ｍａｘとし、また、第２光ビームを第１光記録媒体に照射して第１光記録媒体の識別情報を再生する際の第２光ビームの波長をλ２、対物レンズの開口数をＮＡ２、第１光記録媒体の線速度をＶ２及び第２光ビームの再生パワーをＰｒ２としたとき、
Ｖ２≧｛（λ１ＮＡ２）／（λ２ＮＡ１）｝４（Ｐｒ２／Ｐｒ１ｍａｘ）２Ｖ１
の関係が満たされるように、第１光記録媒体の線速度Ｖ２を設定することを特徴とする請求項１に記載の情報再生方法。
【請求項４】
第１光ビームを第１光記録媒体に照射して情報再生する際の第１光ビームの波長をλ１及び対物レンズの開口数をＮＡ１とし、該再生条件下における第１光ビームの最大再生パワーをＰｒ１ｍａｘとし、また、第２光ビームを第１光記録媒体に照射して第１光記録媒体の識別情報を再生する際の第２光ビームの波長をλ２、対物レンズの開口数をＮＡ２、第２光ビームの再生パワーをＰｒ２及び第１光記録媒体に照射される第２光ビームのスポット面積の合焦点時のスポット面積に対する拡大率をαとしたとき、
α≧（Ｐｒ２／Ｐｒ１ｍａｘ）｛（λ１ＮＡ２）／（λ２ＮＡ１）｝２
の関係が満たされるように、第２光ビームのスポット面積の拡大率αを設定することを特徴とする請求項１に記載の情報再生方法。
【請求項５】
予め、第１光記録媒体に照射し得る第２光ビームの最大再生パワーＰｒ２ｍａｘを実測しておき、第２光ビームを第１光記録媒体に照射して第１光記録媒体の識別情報を再生する際の第２光ビームの再生パワーを上記最大再生パワーＰｒ２ｍａｘ以下に設定することを特徴とする請求項１に記載の情報再生方法。
【請求項６】
予め、第２光ビームを第１光記録媒体に照射して情報再生し得る第１光記録媒体の線速度の最小値Ｖ２ｍｉｎを実測しておき、第２光ビームを第１光記録媒体に照射して第１光記録媒体の識別情報を再生する際の第１光記録媒体の線速度を上記最小値Ｖ２ｍｉｎ以上に設定することを特徴とする請求項１に記載の情報再生方法。
【請求項７】
予め、第２光ビームを第１光記録媒体に照射して情報再生し得る第２光ビームのスポット面積の合焦点時のスポット面積に対する拡大率の最小値αｍｉｎを実測しておき、第２光ビームを第１光記録媒体に照射して第１光記録媒体の識別情報を再生する際の第２光ビームのスポット面積の拡大率を上記最小値αｍｉｎ以上となるように設定することを特徴とする請求項１に記載の情報再生方法。
【請求項８】
互いに異なるスポットサイズの光ビームで情報再生が行われる異なる種類の光記録媒体を装着可能な情報記録再生装置で、該光記録媒体に記録された識別情報を再生することにより該光記録媒体の種類を識別する方法であって、
上記情報記録再生装置に装着された光記録媒体に、上記異なるスポットサイズの光ビームのうち最大スポットサイズを有する第１光ビームよりスポットサイズの小さな第２光ビームを照射することと、
上記装着された光記録媒体の識別情報を再生することとを含む光記録媒体の識別方法。
【請求項９】
第１光ビームで情報再生が行われる光記録媒体に第１光ビームを照射して情報再生する際の第１光ビームの波長をλ１、対物レンズの開口数をＮＡ１及び第１光ビームで情報再生が行われる光記録媒体の線速度をＶ１とし、該再生条件下における第１光ビームの最大再生パワーをＰｒ１ｍａｘとし、また、第２光ビームを上記装着された光記録媒体に照射して上記装着された光記録媒体の識別情報を再生する際の第２光ビームの波長をλ２、対物レンズの開口数をＮＡ２、上記装着された光記録媒体の線速度をＶ２及び第２光ビームの再生パワーをＰｒ２としたとき、
Ｐｒ２≦｛（λ２ＮＡ１）／（λ１ＮＡ２）｝２Ｐｒ１ｍａｘ（Ｖ２／Ｖ１）１／２
の関係が満たされるように、第２光ビームの再生パワーＰｒ２を設定することを特徴とする請求項８に記載の識別方法。
【請求項１０】
第１光ビームで情報再生が行われる光記録媒体に第１光ビームを照射して情報再生する際の第１光ビームの波長をλ１、対物レンズの開口数をＮＡ１及び第１光ビームで情報再生が行われる光記録媒体の線速度をＶ１とし、該再生条件下における第１光ビームの最大再生パワーをＰｒ１ｍａｘとし、また、第２光ビームを上記装着された光記録媒体に照射して上記装着された光記録媒体の識別情報を再生する際の第２光ビームの波長をλ２、対物レンズの開口数をＮＡ２、上記装着された光記録媒体の線速度をＶ２及び第２光ビームの再生パワーをＰｒ２としたとき、
Ｖ２≧｛（λ１ＮＡ２）／（λ２ＮＡ１）｝４（Ｐｒ２／Ｐｒ１ｍａｘ）２Ｖ１
の関係が満たされるように、上記装着された光記録媒体の線速度Ｖ２を設定することを特徴とする請求項８に記載の識別方法。
【請求項１１】
第１光ビームで情報再生が行われる光記録媒体に第１光ビームを照射して情報再生する際の第１光ビームの波長をλ１及び対物レンズの開口数をＮＡ１とし、該再生条件下における第１光ビームの最大再生パワーをＰｒ１ｍａｘとし、また、第２光ビームを上記装着された光記録媒体に照射して上記装着された光記録媒体の識別情報を再生する際の第２光ビームの波長をλ２、対物レンズの開口数をＮＡ２、第２光ビームの再生パワーをＰｒ２及び上記装着された光記録媒体に照射される第２光ビームのスポット面積の合焦点時のスポット面積に対する拡大率をαとしたとき、
α≧（Ｐｒ２／Ｐｒ１ｍａｘ）｛（λ１ＮＡ２）／（λ２ＮＡ１）｝２
の関係が満たされるように、第２光ビームのスポット面積の拡大率αを設定することを特徴とする請求項８に記載の識別方法。
【請求項１２】
予め、上記装着された光記録媒体に照射し得る第２光ビームの最大再生パワーＰｒ２ｍａｘを実測しておき、第２光ビームを上記装着された光記録媒体に照射して上記装着された光記録媒体の識別情報を再生する際の第２光ビームの再生パワーを上記最大再生パワーＰｒ２ｍａｘ以下に設定することを特徴とする請求項８に記載の識別方法。
【請求項１３】
予め、第２光ビームを上記装着された光記録媒体に照射して情報再生し得る上記装着された光記録媒体の線速度の最小値Ｖ２ｍｉｎを実測しておき、第２光ビームを上記装着された光記録媒体に照射して上記装着された光記録媒体の識別情報を再生する際の上記装着された光記録媒体の線速度を上記最小値Ｖ２ｍｉｎ以上に設定することを特徴とする請求項８に記載の識別方法。
【請求項１４】
予め、第２光ビームを上記装着された光記録媒体に照射して情報再生し得る第２光ビームのスポット面積の合焦点時のスポット面積に対する拡大率の最小値αｍｉｎを実測しておき、第２光ビームを上記装着された光記録媒体に照射して上記装着された光記録媒体の識別情報を再生する際の第２光ビームのスポット面積の拡大率を上記最小値αｍｉｎ以上となるように設定することを特徴とする請求項８に記載の識別方法。
【発明の詳細な説明】
【技術分野】
【０００１】
本発明は光記録媒体の情報再生方法に関し、より詳細には、複数のレーザ光源及び／又は光学系を備えた情報記録再生装置で光記録媒体に記録された少なくとも識別情報を含む情報を再生する方法に関する。
【背景技術】
【０００２】
これまで、マルチメディア化に対応して、大量のデータを高密度で記録することができ且つ迅速に記録再生可能な情報記録媒体として、光情報記録媒体（光ディスク）が注目されてきた。実際、近年のコンパクトディスク（ＣＤ）やＤＶＤの普及にみられるように、光ディスクが非常に一般的な記録媒体として定着している。これらの光ディスクの記録再生装置としては、ＣＤやレーザーディスク等のようにディスク製作時に情報をディスク上にスタンピングして記録し、情報の再生のみを可能とした再生専用型ディスクに対応した記録再生装置、ＣＤ−Ｒ等のように一回だけの記録を可能とした追記型ディスクに対応した記録再生装置、並びに、光磁気記録方式や相変化記録方式を用いて何回もデータの書き換え及び消去が可能な書き換え型ディスクに対応した記録再生装置が知られている。
【０００３】
光ディスクにおけるデータの記録再生は、レーザ光を対物レンズを用いて回折限界にまで絞り込んだ光スポットを光ディスクの記録面に照射することにより行われる。この光スポットの径は、レーザ光の波長をλとし、対物レンズの開口数をＮＡとすると（λ／ＮＡ）程度となる。一般に、光ディスクの大容量化を図るためには、情報の記録再生時に、よりスポット径の小さい光ビームを用いることが有効である。それゆえ、近年の光ディスクの大容量化の要望に応えるために、光ディスク製品における高密度化が進むとともに、これらの光ディスクに情報を記録再生する記録再生装置においても、より短波長なレーザを採用したり、あるいは、より大きな開口数（ＮＡ）を有する対物レンズを採用したりして、光ディスクの記録面上に集光するスポット径を小さくする技術の開発が進められている。例えば、具体的には、レーザ光源の波長を６５０ｎｍまたは６３５ｎｍとして短波長化したり、対物レンズの開口数（ＮＡ）を０．６にして高ＮＡ化が図られている。また、次世代の光記録においては、一層の情報の高密度化を図るためにさらなる短波長化及び高ＮＡ化が提案されており、例えば、レーザ光源の波長を４００ｎｍ程度とし、対物レンズの開口数ＮＡを０．６以上とすることが提案されている。
【０００４】
光ディスクにおける情報の高密度化の流れを、より具体的に説明すると、従来、ＣＤ−Ｒ／ＲＷではレーザ波長が７８０ｎｍであり、開口数が０．４５であるのに対して、ＤＶＤ−Ｒ／ＲＷ／ＲＡＭではレーザ波長が６５０ｎｍであり、開口数が０．６前後に設定されていた。これに対し、現在では、さらなる市場要求に応えるべく光ディスクの高性能化が進められ、より短波長の青色レーザを用いた大容量の光ディスクの開発が加速しており、レーザ波長が４０５ｎｍ、開口数が０．６５〜０．８５である光ヘッドに対応した光ディスクの規格が検討されている。
【０００５】
ところで、上述のように規格（種類）の異なる多種の光ディスクが製品化されると、それらの光ディスクを駆動するための各種駆動装置（記録及び／又は再生装置、以下、ドライブともいう）間における光ディスクの互換性が重要な課題となる。新しい規格の光ディスク製品は既存のドライブに装着できず、かつ既存の光ディスクは新しいドライブに装着できない形態、すなわち光ディスクの互換性を断ち切った形態をとれば、光ディスクの互換性に関する問題を考慮する必要はない。しかしながら、ユーザーの立場で考えると、既存の光ディスクを新しいドライブを装着した際にも、情報の記録や再生ができることが望ましい。それゆえ、ドライブとしては規格の異なる光ディスクに対しても駆動できるような構造にする必要がある。例えば、ドライブに規格の異なる光ディスクを判別する機能が必要になる。
【０００６】
現在、波長の異なる複数のレーザ光源及び／又は光学系を１つのドライブに搭載し、規格の異なる光ディスクに対応可能なドライブ、いわゆるマルチドライブが開発されている。マルチドライブでは、光ディスクがドライブに挿入されると、挿入された光ディスクの種類を判別して、その光ディスクに対応したレーザ光源及び光学系で情報の記録や再生が行われる。なお、光ディスクの種類を判別は、一般に、光ディスクに記録された識別情報を再生して光ディスクの判別を行う。ただし、規格の異なる光ディスクが略同じ光学系を使用している場合には、同じ光学系を用いて光ディスクに記録された識別情報を再生して、光ディスクの判別を行うことが可能である。
【０００７】
従来、光ディスクの種類を判別する方式として、フォーカスエラー信号に含まれるＳ字カーブの個数と振幅値に基づいてディスクの種類を判別して設定した後、実際に信号の読み取りを行い、その結果に基いて設定内容を変更する方法が提案されている（例えば、特許文献１を参照）。また、光学記録媒体の厚さを検出する基板厚センサの検出結果に応じて光学記録媒体への照射光の焦点距離を調節する基板厚補正手段により、光ディスクの基板厚さを識別して光ディスクの種類を判別する方法が従来提案されている（例えば、特許文献２を参照）。さらに、ピックアップをトラックが横切る方向に一定距離移動させて、トラック数をカウントすることにより、トラック密度の違いを検出して搭載されているディスクがＣＤであるか、ＤＶＤであるかを判別する方法も提案されている（例えば、特許文献３を参照）。
【０００８】
【特許文献１】特開２０００−１４９３９２号公報（第３−６頁、第１−７図）
【特許文献２】特開平１０−３３４５７５号公報（第３−４頁、第１−６図）
【特許文献３】特開平１１−２１３５２９号公報（第３頁、第３図）
【発明の開示】
【発明が解決しようとする課題】
【０００９】
規格の異なる光ディスクの識別を行うために、上記特許文献２に記載のような基板厚センサなどの判別手段を用いた場合には、判別手段を光ヘッドとは別に設ける必要がある。それゆえ、このような方法では、ドライブのコストが上昇するという問題が生じる。また、このような方法では、判別手段で光ディスクの判別を行った後に、光ヘッドを駆動するので、情報の記録再生動作が可能になるまでのリードタイムが長くなるという問題が生じる。
【００１０】
また、上述のような特別な判別手段を設けずに、直接光ヘッドをアクセスして光ディスクの種類を判別する場合には、ドライブに装着された光ディスクが常にスポット径の大きい光ビームを発生する光ヘッドに対応する光ディスクであることを想定して、スポット径の大きな光ビームを用いて光ディスクの判別動作を行う必要があった。なぜならば、スポット径の大きい光ビームに対応し且つ記録可能な光ディスクがドライブに装着された際に、この光ディスクに対応する光ビームよりスポット径の小さい光ビームを発生する光ヘッドで光ディスクの判別動作を行うと、光ビームのスポット径が小さくなるほど光ビームのエネルギー密度が高くなるので、光ディスクの記録層に傷をつけたり、記録された情報を誤消去したり、あるいは記録不能にしたりするおそれがある。例えば、青色レーザを搭載したＨＤ  ＤＶＤ（ＡＯＤ：Ａｄｖａｎｃｅｄ  Ｏｐｔｉｃａｌ  Ｄｉｓｃ）用のドライブに赤色レーザ対応の記録可能な光ディスク（ＤＶＤ−Ｒ、ＣＤ−Ｒ等）が挿入された場合に、青色レーザを照射して光ディスクの種類の判別を行うと、青色のレーザ光の方が赤色のレーザ光よりエネルギー密度が大きいので、その際に赤色レーザ対応の光ディスクに記録されたデータを破壊したり、光ディスクの未記録領域に損傷を与えたりするおそれがある。
【００１１】
上述のような問題を解決するため、従来のマルチドライブでは、光ディスクがドライブに装着された際に、スポット径の大きい方の光ビームを用いて装着された光ディスクの種類の判別を行う。そして、判別した結果、装着された光ディスクがスポット径の大きい方の光ビームに対応する光ディスクであったならば、光ヘッドを切り換えずにアクセスを継続し、ユーザー情報等の記録及び／又は再生を行う。一方、装着された光ディスクがスポット径の小さい方の光ビームに対応する光ディスクであったならば、光ヘッドをスポット径の小さい方の光ヘッドに切り換えてユーザー情報等の記録及び／又は再生を行う。
【００１２】
より具体的に説明すると、例えば、赤色レーザ対応の光ディスクＤＶＤ−Ｒと青色レーザ対応の光ディスクＡＯＤの両方に対応可能なマルチドライブの場合、いずれの光ディスクがドライブに装着されても、最初に赤色レーザで光ディスクの種類を判別する。そして、光ディスクがＤＶＤ−Ｒであるという判別結果が得られた場合には、そのまま赤色レーザを搭載した光ヘッドでアクセスを継続して情報の記録及び／又は再生を行なう。一方、光ディスクがＡＯＤであるという判別結果が得られた場合には、光ヘッドを赤色レーザを搭載した光ヘッドから青色レーザを搭載した光ヘッドに切り換えて情報の記録及び／又は再生を行う。これは上述したように、光ディスクがドライブに装着された際に、最初からエネルギー密度の高い青色レーザを照射して判別動作を行うと、装着された光ディスクがＤＶＤ−Ｒ等の記録可能な赤色レーザ対応の光ディスクであった場合には、赤色レーザ対応の記録可能な光ディスクに記録されている情報を誤って消去してしまう恐れがあるためである。
【００１３】
今後、さらなる大容量の光ディスクのニーズが高まるとともに、使用する光ディスクの主流は、低容量の赤色レーザ対応の光ディスクＤＶＤから大容量の青色レーザ対応の光ディスクＡＯＤへと移行する可能性は高い。そのような状況においては、大容量の青色レーザ対応の光ディスクＡＯＤの使用頻度が増大するので、従来のドライブで光ディスクを駆動すると、上述のように、光ディスクの判別は赤色レーザを搭載した光ヘッドで行い、その後青色レーザを搭載した光ヘッドに切り換えるという動作の頻度が増大する。その結果、光ディスクの判別からユーザー情報等の記録再生開始までにかかる時間が長くなるという問題が生じる。また、青色レーザを搭載した光ヘッドのみを備えるドライブにおいては、赤色レーザ対応の光ディスクに対しても必ず青色レーザを照射して光ディスクの判別動作を行うので、上記問題、すなわち、赤色レーザ対応の記録可能な光ディスクに記録されている情報を誤って消去してしまうなどの問題は回避することができず、より重大な問題となり得る。
【００１４】
本発明は上記課題を解決するためになされたものであり、本発明の目的は、規格の異なる光ディスクの記録及び／又は再生が可能なドライブにおいて、短波長レーザ（例えば、青色レーザ）対応の光ディスク（例えば、ＡＯＤ等）の使用頻度が増大しても、光ディスクの判別からユーザー情報等の記録再生までの一連の動作の処理時間を短縮し、且つ、低コストで光ディスクの判別を可能とする情報再生方法及び識別方法を提供するものである。
【課題を解決するための手段】
【００１５】
本発明の第１の態様に従えば、光記録媒体に記録された少なくとも識別情報を含む情報を再生する方法であって、所定のスポットサイズを有する第１光ビームを照射して情報再生が行われる第１光記録媒体に、第１光ビームより小さなスポットサイズを有する第２光ビームを照射することと、第１光記録媒体からの第２光ビームに基いて第１光記録媒体の識別情報を再生することとを含む光記録媒体の情報再生方法が提供される。
【００１６】
本発明の光記録媒体の情報再生方法では、第１光ビームを第１光記録媒体に照射して情報再生する際の第１光ビームの波長をλ１、対物レンズの開口数をＮＡ１及び第１光記録媒体の線速度をＶ１とし、該再生条件下における第１光ビームの最大再生パワーをＰｒ１ｍａｘとし、また、第２光ビームを第１光記録媒体に照射して第１光記録媒体の識別情報を再生する際の第２光ビームの波長をλ２、対物レンズの開口数をＮＡ２、第１光記録媒体の線速度をＶ２及び第２光ビームの再生パワーをＰｒ２としたとき、
Ｐｒ２≦｛（λ２ＮＡ１）／（λ１ＮＡ２）｝２Ｐｒ１ｍａｘ（Ｖ２／Ｖ１）１／２
の関係が満たされるように、第２光ビームの再生パワーＰｒ２を設定することが好ましい。
【００１７】
本発明の光記録媒体の情報再生方法では、第１光ビームを第１光記録媒体に照射して情報再生する際の第１光ビームの波長をλ１、対物レンズの開口数をＮＡ１及び第１光記録媒体の線速度をＶ１とし、該再生条件下における第１光ビームの最大再生パワーをＰｒ１ｍａｘとし、また、第２光ビームを第１光記録媒体に照射して第１光記録媒体の識別情報を再生する際の第２光ビームの波長をλ２、対物レンズの開口数をＮＡ２、第１光記録媒体の線速度をＶ２及び第２光ビームの再生パワーをＰｒ２としたとき、
Ｖ２≧｛（λ１ＮＡ２）／（λ２ＮＡ１）｝４（Ｐｒ２／Ｐｒ１ｍａｘ）２Ｖ１
の関係が満たされるように、第１光記録媒体の線速度Ｖ２を設定することが好ましい。
【００１８】
本発明の光記録媒体の情報再生方法では、第１光ビームを第１光記録媒体に照射して情報再生する際の第１光ビームの波長をλ１及び対物レンズの開口数をＮＡ１とし、該再生条件下における第１光ビームの最大再生パワーをＰｒ１ｍａｘとし、また、第２光ビームを第１光記録媒体に照射して第１光記録媒体の識別情報を再生する際の第２光ビームの波長をλ２、対物レンズの開口数をＮＡ２、第２光ビームの再生パワーをＰｒ２及び第１光記録媒体に照射される第２光ビームのスポット面積の合焦点時のスポット面積に対する拡大率をαとしたとき、
α≧（Ｐｒ２／Ｐｒ１ｍａｘ）｛（λ１ＮＡ２）／（λ２ＮＡ１）｝２
の関係が満たされるように、第２光ビームのスポット面積の拡大率αを設定することが好ましい。
【００１９】
上述のように、将来、主に使用する光ディスクがＡＯＤ等の大容量の光ディスクとなった場合、光ディスクの判別を赤色レーザを搭載した光ヘッドで行い、その後青色レーザを搭載した光ヘッドに切り換えて情報の記録再生を行っていたのでは、光ディスクの判別からユーザー情報等の記録再生開始までの処理時間が長くなってしまう。この問題を解決するために、光ディスクの判別を青色レーザで行うことができれば、光ディスクの判別動作からユーザー情報等の記録再生動作に移行する際に光ヘッドを切り換える頻度が低くなるので、光ディスクの判別後、記録再生操作を開始するまでの時間を平均的に短縮することができる。しかしながら、上述のように、青色レーザのレーザ光は赤色レーザのレーザ光に比べてスポット径が小さく絞られているためエネルギー密度が高い。それゆえ、ドライブに装着された光ディスクが、例えば、ＣＤ−ＲやＤＶＤ−Ｒなどの記録可能な光ディスクである場合、青色レーザで光ディスクの判別動作を行うとＣＤ−ＲやＤＶＤ−Ｒに記録された情報を傷つけたり、光ディスクの未記録領域に欠陥を作ってしまったりするおそれがある。
【００２０】
本発明の光記録媒体の情報再生方法では、上記課題を解決するために、所定のスポット径を有する第１光ビームより小さなスポット径を有する第２光ビームを用いて情報記録再生装置に装着された光記録媒体を判別する際に、装着された光記録媒体が第１光ビームに対応する第１光記録媒体であっても、第１光記録媒体に記録されている情報が破壊されない再生条件で第２光ビームを第１光記録媒体に照射して第１光記録媒体の識別情報を再生する。すなわち、よりスポット径の小さい第２光ビームを装着された光記録媒体に照射して装着された光記録媒体を判別する際に、装着された光記録媒体に記録されている情報が破壊されない再生条件で装着された光記録媒体の識別情報を再生して装着された光記録媒体の種類を判別する。より具体的に説明すると、本発明の識別方法では、例えば、ＤＶＤ及びＡＯＤに対応可能な情報記録再生装置において、情報記録再生装置に装着された光ディスクの種類を青色レーザを搭載した光ヘッドを用いて判別する。その際、装着された光ディスクがＤＶＤであっても、ＤＶＤに記録された情報が破壊されないような再生条件で青色のレーザ光をＤＶＤに照射してＤＶＤに記録された識別情報を再生する。
【００２１】
なお、本明細書でいう「光ヘッド」には、レーザ光源及びレンズ等の光学部材が含まれ、複数の光ヘッド間では、レンズ等の光学部材が共通であっても良いし、別個に備えていても良い。複数の光ヘッド間で、レンズ等の光学部材が共通である場合には、レーザ光源を切り換えることにより、光ビームのスポットサイズが切り換えられる。また、本発明では、光記録媒体の識別情報はＢＣＡ（Ｂｕｒｓｔ  Ｃｕｔｔｉｎｇ  Ａｒｅａ）に記録されていることが好ましい。
【００２２】
本発明における光記録媒体の識別情報の再生手順は、次の通りである。まず、所定のスポットサイズを有する第１光ビームを用いて第１光記録媒体の情報再生を行う際に照射可能な第１光ビームの最大再生パワーＰｒ１ｍａｘ（記録データが破壊されない第１光ビームの再生レーザパワーの最大値）に基いて、第１光ビームより小さなスポットサイズの第２光ビームを情報記録再生装置に装着された光記録媒体に照射して装着された光記録媒体の識別情報を再生する際の再生条件を設定する。この際、装着された光記録媒体に照射される再生パワーＰｒ２の第２光ビームのエネルギー密度が、最大再生パワーＰｒ１ｍａｘの第１光ビームを第１光記録媒体に照射したときのエネルギー密度を超えないように、装着された光記録媒体判別時の再生条件が設定される。次いで、設定された再生条件で第２光ビームを装着された光記録媒体に照射する。次いで、装着された光記録媒体からの第２光ビーム（光記録媒体からの反射光または透過光）に基いて装着された光記録媒体の識別情報を再生し、光記録媒体の種類を判別する。
【００２３】
なお、第１光記録媒体の情報再生を行う際に照射可能な第１光ビームの最大再生パワーＰｒ１ｍａｘは、情報記録再生装置に装着された光記録媒体の種類を判別する前に、予め測定しておくことが好ましい。ここで、第１光記録媒体の情報を再生する際に照射可能な第１光ビームの最大再生パワーＰｒ１ｍａｘの測定方法について具体的に説明する。まず、波長λ１のレーザを搭載した第１光ヘッド（以下、λ１光ヘッドともいう）でユーザー情報等の記録再生を行う第１光記録媒体、すなわち、λ１光ヘッドに対応する記録可能な第１光記録媒体に対して、λ１光ヘッドを用いて、第１光記録媒体の記録可能領域に所定のレーザパワーＰｅ１のレーザ光を連続照射する。次いで、λ１光ヘッドを用いて、所定の再生パワー（ユーザー情報等の再生時に用いられる再生パワー）のレーザ光を、第１光記録媒体のレーザパワーＰｅ１のレーザ光を照射した位置に照射して、再生信号を検出する。上記測定をレーザパワーＰｅ１を変化させながら繰り返す。この測定により得られたレーザパワーＰｅ１に対する再生信号出力の変化量の特性の一例を図１に示す。
【００２４】
上述のような測定を行うと、図１から明らかなように、レーザパワーＰｅ１がある値（図１中のＰｒ１ｍａｘ）より大きくなると、再生信号出力に変化が生じ、さらにレーザパワーＰｅ１を大きくすると再生信号出力の変化量が飽和する特性が得られる。レーザパワーＰｅ１を再生信号出力の変化量が立ち上がる値より大きくした場合に再生信号出力が変化する理由は、光ディスクの記録層に「記録」状態に相当する変化が生じて再生信号出力が変化したためである。すなわち、図１は、再生信号出力の変化量が立ち上がるレーザパワーＰｒ１ｍａｘより大きいレーザパワーのレーザ光を照射すると、記録層が変質して、記録層に記録されている情報が破壊される恐れがあることを示している。それゆえ、第１光記録媒体の情報を再生する際に照射可能な第１光ビームの最大再生パワーは図１中の出力Ｐｒ１ｍａｘとなる。通常、図１のような特性を示す第１光記録媒体では、情報再生時に照射されるレーザ光の再生パワーＰｒ１は再生信号出力の変化量が立ち上がるレーザパワー、すなわち、最大再生パワーＰｒ１ｍａｘ以下になるように設定される。このように再生パワーを設定することにより、第１光記録媒体に記録されたデータを破壊することなく、あるいは第１光記録媒体の未記録領域に損傷を与えることなく情報再生することが可能になる。
【００２５】
また、第１光ビームより小さなスポットサイズの第２光ビームを情報記録再生装置に装着された光記録媒体に照射して装着された光記録媒体の識別情報を再生する際に、装着された光記録媒体に照射される再生パワーＰｒ２の第２光ビームのエネルギー密度が、最大再生パワーＰｒ１ｍａｘの第１光ビームを第１光記録媒体に照射したときのエネルギー密度を超えないように調整する方法としては、次の３つの方法が考えられる。
［１］装着された光記録媒体に照射される第２光ビームの再生パワーＰｒ２を低く設定する。
［２］装着された光記録媒体の線速度を速くする。
［３］装着された光記録媒体に照射される第２光ビームをデフォーカスさせる。
いずれの方法においても、装着された光記録媒体の識別情報を再生する際に、装着された光記録媒体に照射される第２光ビームのエネルギー密度を、装着された光記録媒体に記録されたデータを破壊しないように小さくすることができる。以下に、上記方法［１］〜［３］について詳細に説明する。
【００２６】
［１］第２光ビームの再生パワーＰｒ２を低く設定する方法
ここでは、第１光ヘッド（λ１光ヘッド）に対応する第１光記録媒体の識別情報を、第１光ヘッドから照射される第１光ビームのスポット径より小さなスポット径の光ビームを発生可能な第２光ヘッド（λ２光ヘッド）で再生する場合を考える。なお、λ１光ヘッドから照射される第１光ビームの波長をλ１及びレンズの開口数をＮＡ１とし、λ１光ヘッドで第１光記録媒体の情報再生を行う際の線速度をＶ１（図１の実験を行ったときの線速度）及び該再生条件下における第１光ビームの照射可能な最大再生パワーをＰｒ１ｍａｘとする。ただし、λ１光ヘッドで第１光記録媒体の情報再生を行う際の第１光ビームの最大再生パワーをＰｒ１ｍａｘは上述した方法で予め実測して求めておくものとする。また、λ２光ヘッドから照射される第２光ビームの波長をλ２及びレンズの開口数をＮＡ２とし、λ２光ヘッドで第１光記録媒体の識別情報の再生する際の第１光記録媒体の線速度をＶ２及び第２光ビームの再生パワーをＰｒ２とする。
【００２７】
方法［１］では、λ１光ヘッドに対応する第１光記録媒体の識別情報をλ２光ヘッドで再生する際に、
Ｐｒ２≦｛（λ２ＮＡ１）／（λ１ＮＡ２）｝２Ｐｒ１ｍａｘ（Ｖ２／Ｖ１）１／２  …（１）
の関係が満たされるように、λ２光ヘッドから第１光記録媒体に照射する第２光ビームの再生パワーＰｒ２を設定する。なお、一般に、光記録媒体に照射される光ビームのエネルギー密度は、光ビームのスポットサイズ、照射パワー及び光記録媒体の線速度により決定される。上記（１）式は、λ２光ヘッドから照射される再生パワーＰｒ２の第２光ビームのスポット面積とλ１光ヘッドから照射される最大再生パワーＰｒ１ｍａｘの第１光ビームのスポット面積との比、並びに、λ２光ヘッドで第１光記録媒体の識別情報を再生する際の線速度Ｖ２とλ１光ヘッドで第１光記録媒体を情報再生する際の線速度Ｖ１との比から算出した。
【００２８】
上記（１）式の関係が満たされるようにλ２光ヘッドからの第２光ビームの再生パワーＰｒ２を設定すると、λ２光ヘッドから再生パワーＰｒ２の第２光ビームを第１光記録媒体に照射したときのエネルギー密度は、λ１光ヘッドで最大再生パワーＰｒ１ｍａｘの第１光ビームを第１光記録媒体に照射したときのエネルギー密度以下の値となる。それゆえ、λ２光ヘッドを用いて第１光記録媒体の識別情報を再生する際に、上記方法［１］を用いると、第１記録媒体に記録された情報を破壊することなく、あるいは未記録領域に損傷を与えることなく第１光記録媒体の識別情報を再生することができる。
【００２９】
［２］装着された光記録媒体の線速度を速くする方法
再生時の光記録媒体の線速度を変化させると、光記録媒体の所定領域に照射される光ビームの照射時間が変化するので、光記録媒体に照射される光ビームの単位時間当りの照射量を変化させることができる。再生時の光記録媒体の線速度が速い程、光記録媒体の所定領域に照射される光ビームの照射時間が短くなるので、光記録媒体に照射される光ビームの単位時間当りの照射量を小さくすることができる。それゆえ、再生時の光記録媒体の線速度を速くすることにより、光記録媒体に照射される光ビームのエネルギー密度を小さくすることができる。ここでは、λ１光ヘッドに対応する第１光記録媒体の識別情報を、λ１光ヘッドから照射される第１光ビームよりスポット径の小さな第２光ビームを発生可能なλ２光ヘッドで再生する場合を考える。
【００３０】
方法［２］では、λ２光ヘッドを用いて第１光記録媒体の識別情報を再生する際に、λ２光ヘッドから第１光記録媒体に照射される第２光ビームのエネルギー密度を小さくするために、第１光記録媒体の線速度Ｖ２を増大させる。具体的には、λ２光ヘッドを用いて第１光記録媒体の識別情報を再生する際に、上記（１）式から、
Ｖ２≧｛（λ１ＮＡ２）／（λ２ＮＡ１）｝４（Ｐｒ２／Ｐｒ１ｍａｘ）２Ｖ１  …（２）
の関係が満たされるように、第１光記録媒体の線速度Ｖ２を増大させる。なお、方法［２］では、λ２光ヘッドから照射される第２光ビームの再生パワーＰｒ２は、所定の値、例えば、λ２光ヘッドに対応する光記録媒体（第２光記録媒体）をλ２光ヘッドで情報再生する際に用いる再生パワーなどの値に設定し得る。
【００３１】
上記（２）式の関係が満たされるように第１光記録媒体の線速度Ｖ２を設定した場合も、λ２光ヘッドから再生パワーＰｒ２の第２光ビームを第１光記録媒体に照射したときのエネルギー密度は、λ１光ヘッドで最大再生パワーＰｒ１ｍａｘの第１光ビームを第１光記録媒体に照射したときのエネルギー密度以下の値となる。それゆえ、λ２光ヘッドを用いて第１光記録媒体の識別情報を再生する際に、上述のような方法［２］を用いても、第１記録媒体に記録された情報を破壊することなく、あるいは未記録領域に損傷を与えることなく第１光記録媒体の識別情報を再生することができる。
【００３２】
なお、上述のようにλ２光ヘッドを用いて第１光記録媒体を識別情報を再生する際に、上記（２）式の関係が満たされるように第１光記録媒体の線速度Ｖ２を設定しても良いが、本発明はこれに限定されない。例えば、上記（２）式中のλ１光ヘッドで第１光記録媒体の情報再生を行う際の第１光ビームの最大再生パワーＰｒ１ｍａｘの代わりに、通常、λ１光ヘッドで第１光記録媒体の情報再生を行う際に用いられる第１光ビームの再生パワーＰｒ１を用いて、
Ｖ２≧｛（λ１ＮＡ２）／（λ２ＮＡ１）｝４（Ｐｒ２／Ｐｒ１）２Ｖ１  …（２’）
の関係が満たされるように、第１光記録媒体の線速度Ｖ２を調整しても良い。上記（２）式の範囲は理論的にデータ破壊を起こさない範囲であり、（２’）式の範囲は（２）式の範囲に含まれる。（２’）式を用いた場合には、第１光ビームの最大再生パワーＰｒ１ｍａｘを実測する必要がなく、簡易な設定方式である。ただし、（２’）式を用いて光記録媒体の判別時の再生条件を設定した場合には、その設定可能な範囲が上記（２）式で求めた範囲より狭くなる。それゆえ、状況に応じて適宜（２）式または（２’）式を選択することが好ましい。
【００３３】
［３］第２光ビームをデフォーカスさせる方法
再生時に光記録媒体に照射する光ビームの焦点位置をずらす（デフォーカスする）ことにより、光記録媒体に照射される光ビームのエネルギー密度を小さくすることもできる。光ビームをデフォーカスすると、光記録媒体に照射される光ビームのスポットサイズが大きくなるので、光ビームのエネルギー密度を小さくすることができる。ここでは、λ１光ヘッドに対応する第１光記録媒体の識別情報を、λ１光ヘッドから照射される第１光ビームのスポット径より小さなスポット径の第２光ビームを発生可能なλ２光ヘッドで再生する場合を考える。
【００３４】
方法［３］では、λ２光ヘッドを用いて第１光記録媒体の識別情報を再生する際に、λ２光ヘッドから第１光記録媒体に照射される第２光ビームのエネルギー密度が、λ１光ヘッドで最大再生パワーＰｒ１ｍａｘの第１光ビームを第１光記録媒体に照射した際のエネルギー密度以下の値となるように、λ２光ヘッドから照射される第２光ビームをデフォーカスして第２光ビームのスポットサイズを広げる。具体的には、λ２光ヘッドから第１光記録媒体に照射される第２光ビームのスポット面積の合焦点時のスポット面積に対する拡大率をαとすると、
Ｐｒ２／［απ｛λ２／（２ＮＡ２）｝２］≦Ｐｒ１ｍａｘ／［π｛λ１／（２ＮＡ１）｝２］
となるように、すなわち、
α≧（Ｐｒ２／Ｐｒ１ｍａｘ）｛（λ１ＮＡ２）／（λ２ＮＡ１）｝２  …（３）
の関係を満足するように、λ２光ヘッドから第１光記録媒体に照射される第２光ビームのスポット面積の拡大率をαを設定して、λ２光ヘッドから第１光記録媒体に照射される第２光ビームをデフォーカスする。
【００３５】
λ２光ヘッドを用いて第１光記録媒体の識別情報を再生する際に、上記（３）式の関係が満たされるようにλ２光ヘッドから照射される第２光ビームをデフォーカスして光ビームのスポットサイズを広げると、λ２光ヘッドから再生パワーＰｒ２の第２光ビームを第１光記録媒体に照射したときのエネルギー密度は、λ１光ヘッドで最大再生パワーＰｒ１ｍａｘの第１光ビームを第１光記録媒体に照射したときのエネルギー密度以下の値となる。それゆえ、λ２光ヘッドを用いて第１光記録媒体の識別情報を再生する際に、上述のような方法［３］を用いても、第１記録媒体に記録された情報を破壊することなく、あるいは未記録領域に損傷を与えることなく第１光記録媒体の識別情報を再生することができる。
【００３６】
上述のように、方法［１］〜［３］で設定されたＰｒ２、Ｖ２及びαを用いて第１光記録媒体の識別情報を再生すれば、第１光記録媒体の判別時に第１光記録媒体に記録された情報を破壊することはない。一方、上述の方法［１］〜［３］で設定された再生条件は、第２光記録媒体に対して通常の再生時に設定される再生条件より、第２光記録媒体に照射される光ビームのエネルギー密度が低くなるので、第２光記録媒体の識別情報を再生する際にも第２光記録媒体の記録情報を破壊することはない。それゆえ、上記方法［１］〜［３］のいずれかの設定条件で装着された光記録媒体の識別情報を再生しても、装着された光記録媒体の種類に関係なくその記録情報を破壊することなく装着された光記録媒体の種類を識別することができる。
【００３７】
また、本発明の光記録媒体の情報再生方法では、予め、第１光記録媒体に照射し得る第２光ビームの最大再生パワーＰｒ２ｍａｘを実測しておき、第２光ビームを第１光記録媒体に照射して第１光記録媒体の識別情報を再生する際の第２光ビームの再生パワーを上記最大再生パワーＰｒ２ｍａｘ以下に設定することも可能である。具体的な方法としては、図１で説明した方法と同様の方法で第１光記録媒体に照射し得る第２光ビームの最大再生パワーＰｒ２ｍａｘを実測することができる。ただし、この場合、図１で説明した方法において、第１光ビームの代わりに第２光ビームを第１光記録媒体に照射して同様の実験を行う。その結果、図１と同様の特性が得られるので、その特性の信号変化点をＰｒ２ｍａｘとすることにより、第１光記録媒体に照射し得る第２光ビームの最大再生パワーＰｒ２ｍａｘを求めることができる。
【００３８】
本発明の光記録媒体の情報再生方法では、予め、第２光ビームを第１光記録媒体に照射して情報再生し得る第１光記録媒体の線速度Ｖ２の最小値Ｖ２ｍｉｎを実測しておき、第２光ビームを第１光記録媒体に照射して第１光記録媒体の識別情報を再生する際の第１光記録媒体の線速度Ｖ２を上記最小値Ｖ２ｍｉｎ以上に設定することも可能である。
【００３９】
本発明の光記録媒体の情報再生方法では、予め、第２光ビームを第１光記録媒体に照射して情報再生し得る第２光ビームのスポット面積の合焦点時のスポット面積に対する拡大率αの最小値αｍｉｎを実測しておき、第２光ビームを第１光記録媒体に照射して第１光記録媒体の識別情報を再生する際の第２光ビームのスポット面積の拡大率αを上記最小値αｍｉｎ以上となるように設定することも可能である。
【００４０】
また、３種類以上の規格の異なる光記録媒体に対応可能な情報記録再生装置において、より小さなスポット径の光ビームを照射して装着された光記録媒体の種類を判別する場合にも、上記方法と同様の方法で装着された光記録媒体の識別情報を再生することができる。具体的には、次のような方法で装着された光記録媒体の識別情報を再生することが好ましい。
【００４１】
まず、情報記録再生装置に装着し得る複数の光記録媒体（Ａ、Ｂ、Ｃ、…）の中で、最も装着頻度が高いと考えられる光記録媒体Ａを選択する。ただし、光記録媒体Ａは、上記複数の光記録媒体のうち最大スポット径の光ビームに対応する光記録媒体でないものとする。この場合、光記録媒体Ａ以外の各光記録媒体（Ｂ、Ｃ、…）は上述の方法で説明した第１光記録媒体に対応する。次いで、最も装着頻度が高いと考えられる光記録媒体Ａを選択した後、上記方法［１］〜［３］に従って、光記録媒体Ａの情報再生に用いられる光ヘッドａ（第２光ビームを照射する光ヘッド）を用いて光記録媒体Ｂ、Ｃ、…の識別情報を再生する際の再生パワーＰｒ２、線速度Ｖ２またはスポット拡大率αを各光記録媒体毎に求める。
【００４２】
次いで、光ヘッドａを用いて装着された光記録媒体の識別情報を再生する際の再生条件を再生パワーＰｒ２で調整する場合には、光記録媒体Ｂ、Ｃ、…においてそれぞれ求められた再生パワーＰｒ２のうち最小値を、光ヘッドａを用いて装着された光記録媒体の識別情報を再生する際の再生パワーＰｒ２とする。また、光ヘッドａを用いて装着された光記録媒体の識別情報を再生する際の再生条件を線速度Ｖ２またはスポット拡大率αで調整する場合には、光記録媒体Ｂ、Ｃ、…においてそれぞれ求められた線速度Ｖ２のうち最大値、または、スポット拡大率αのうち最大値を、光ヘッドａを用いて装着された光記録媒体の識別情報を再生する際の線速度Ｖ２またはスポット拡大率αとする。上述のように、装着された光記録媒体の識別情報を再生する際の再生条件を設定した後、光ヘッドａを用いて装着された光記録媒体の種類を判別する。次いで、判別された光記録媒体の種類に対応した光ヘッドを用いて、情報の記録及び／又は再生を行う。
【００４３】
本発明の第２の態様に従えば、互いに異なるスポットサイズの光ビームで情報再生が行われる異なる種類の光記録媒体を装着可能な情報記録再生装置で、該光記録媒体に記録された識別情報を再生することにより該光記録媒体の種類を識別する方法であって、上記情報記録再生装置に装着された光記録媒体に、上記異なるスポットサイズの光ビームのうち最大スポットサイズを有する第１光ビームよりスポットサイズの小さな第２光ビームを照射することと、上記装着された光記録媒体の識別情報を再生することとを含む光記録媒体の識別方法が提供される。
【００４４】
本発明の光記録媒体の識別方法では、第１光ビームで情報再生が行われる光記録媒体に第１光ビームを照射して情報再生する際の第１光ビームの波長をλ１、対物レンズの開口数をＮＡ１及び第１光ビームで情報再生が行われる光記録媒体の線速度をＶ１とし、該再生条件下における第１光ビームの最大再生パワーをＰｒ１ｍａｘとし、また、第２光ビームを上記装着された光記録媒体に照射して上記装着された光記録媒体の識別情報を再生する際の第２光ビームの波長をλ２、対物レンズの開口数をＮＡ２、上記装着された光記録媒体の線速度をＶ２及び第２光ビームの再生パワーをＰｒ２としたとき、
Ｐｒ２≦｛（λ２ＮＡ１）／（λ１ＮＡ２）｝２Ｐｒ１ｍａｘ（Ｖ２／Ｖ１）１／２
の関係が満たされるように、第２光ビームの再生パワーＰｒ２を設定することが好ましい。
【００４５】
本発明の光記録媒体の識別方法では、第１光ビームで情報再生が行われる光記録媒体に第１光ビームを照射して情報再生する際の第１光ビームの波長をλ１、対物レンズの開口数をＮＡ１及び第１光ビームで情報再生が行われる光記録媒体の線速度をＶ１とし、該再生条件下における第１光ビームの最大再生パワーをＰｒ１ｍａｘとし、また、第２光ビームを上記装着された光記録媒体に照射して上記装着された光記録媒体の識別情報を再生する際の第２光ビームの波長をλ２、対物レンズの開口数をＮＡ２、上記装着された光記録媒体の線速度をＶ２及び第２光ビームの再生パワーをＰｒ２としたとき、
Ｖ２≧｛（λ１ＮＡ２）／（λ２ＮＡ１）｝４（Ｐｒ２／Ｐｒ１ｍａｘ）２Ｖ１
の関係が満たされるように、上記装着された光記録媒体の線速度Ｖ２を設定することが好ましい。
【００４６】
また、本発明の光記録媒体の識別方法では、第１光ビームで情報再生が行われる光記録媒体に第１光ビームを照射して情報再生する際の第１光ビームの波長をλ１及び対物レンズの開口数をＮＡ１とし、該再生条件下における第１光ビームの最大再生パワーをＰｒ１ｍａｘとし、また、第２光ビームを上記装着された光記録媒体に照射して上記装着された光記録媒体の識別情報を再生する際の第２光ビームの波長をλ２、対物レンズの開口数をＮＡ２、第２光ビームの再生パワーをＰｒ２及び上記装着された光記録媒体に照射される第２光ビームのスポット面積の合焦点時のスポット面積に対する拡大率をαとしたとき、
α≧（Ｐｒ２／Ｐｒ１ｍａｘ）｛（λ１ＮＡ２）／（λ２ＮＡ１）｝２
の関係が満たされるように、第２光ビームのスポット面積の拡大率αを設定することが好ましい。
【００４７】
さらに、本発明の光記録媒体の識別方法では、予め、上記装着された光記録媒体に照射し得る第２光ビームの最大再生パワーＰｒ２ｍａｘを実測しておき、第２光ビームを上記装着された光記録媒体に照射して上記装着された光記録媒体の識別情報を再生する際の第２光ビームの再生パワーを上記最大再生パワーＰｒ２ｍａｘ以下に設定することも可能である。
【００４８】
本発明の光記録媒体の識別方法では、予め、第２光ビームを上記装着された光記録媒体に照射して情報再生し得る上記装着された光記録媒体の線速度の最小値Ｖ２ｍｉｎを実測しておき、第２光ビームを上記装着された光記録媒体に照射して上記装着された光記録媒体の識別情報を再生する際の上記装着された光記録媒体の線速度を上記最小値Ｖ２ｍｉｎ以上に設定することも可能である。
【００４９】
本発明の光記録媒体の識別方法では、予め、第２光ビームを上記装着された光記録媒体に照射して情報再生し得る第２光ビームのスポット面積の合焦点時のスポット面積に対する拡大率の最小値αｍｉｎを実測しておき、第２光ビームを上記装着された光記録媒体に照射して上記装着された光記録媒体の識別情報を再生する際の第２光ビームのスポット面積の拡大率を上記最小値αｍｉｎ以上となるように設定することも可能である。
【発明の効果】
【００５０】
本発明の光記録媒体の情報再生方法及び識別方法によれば、所定のスポット径を有する第１光ビームで情報再生が行われる光記録媒体の識別情報を、第１光ビームより小さいスポット径を有する第２光ビームを該光記録媒体に照射して再生しても、該光記録媒体に記録された情報を破壊したり、該光記録媒体の未記録領域に損傷を与えたりすることなく該光記録媒体の種類を判別することができる。
【００５１】
また、本発明の光記録媒体の情報再生方法及び識別方法によれば、スポット径のより小さな光ビームを形成可能な（短波長）光ヘッドを用いて、光記録媒体の種類を判別することができるので、将来、短波長レーザ対応の光記録媒体（例えば、ＡＯＤ等）の使用頻度が増大しても、判別後に光ヘッドを切り換える頻度が低くなるので、情報記録再生装置に装着された光記録媒体の判別からユーザー情報等の記録再生開始までの時間を短縮することができる。
【００５２】
さらに、本発明の光記録媒体の識別方法によれば、光記録媒体の情報再生を行う光ヘッドを用いて光記録媒体の判別を行うことができるので、光ヘッドとは別に、光記録媒体の判別手段を新たに設ける必要がない。それゆえ、本発明の光記録媒体の識別方法を用いることにより、情報記録再生装置の低コスト化を図ることができる。
【発明を実施するための最良の形態】
【００５３】
以下に、本発明の光記録媒体の識別方法について、図面を参照しながら具体的に説明するが、本発明はこれに限定されない。
【実施例１】
【００５４】
実施例１では、青色レーザで情報の記録再生が可能なＨＤ−ＤＶＤ（以下、ＡＯＤという）と、赤色レーザで情報の記録再生が可能なＤＶＤ−Ｒとを駆動することができる情報記録再生装置における光ディスクの識別方法について説明する。この例では、青色レーザを搭載した光ヘッド（以下、ＡＯＤヘッドともいう）で情報記録再生装置に装着された光ディスクの種類を判別する。そして、光ディスクの種類を判別する際には、上記（１）式の関係を満たすように、ＡＯＤヘッドから光ディスクに照射するレーザ光の出力Ｐｒ２を設定した。
【００５５】
［光ディスク］
まず、この例で用意したＡＯＤ及びＤＶＤ−Ｒ（１６Ｘ）について説明する。この例で用意したＡＯＤ及びＤＶＤ−Ｒ（１６Ｘ）はともに、直径１２０ｍｍ、厚さ０.６ｍｍの基板上に所定の膜（記録層、反射層等）が所定の順序で積層された約１．２ｍｍ厚の光ディスクであり、両者の光ディスクは形状的に互換性を有している。なお、この例で用いた光ディスクの識別情報は、ＡＯＤ及びＤＶＤ−Ｒともに、光ディスクの内周近傍領域に設けたＢＣＡに記録した。
【００５６】
ただし、ＤＶＤ−Ｒに記録されている識別情報はＤＶＤヘッドで再生可能であるのはもちろん、ＡＯＤヘッドでも識別情報の一部または全部が再生認識可能であるようなフォーマットで記録されていることが好ましい。また、ＡＯＤに記録されている識別情報はＡＯＤヘッドで再生可能であるのはもちろん、ＤＶＤヘッドでも識別情報の一部または全部が再生認識可能であるようなフォーマットで記録されていることが好ましい。
【００５７】
この例で用いたＡＯＤの概略断面図を図２に示した。この例で用いたＡＯＤ２０は、有機色素を含有する記録層を備えた追記型の光ディスクであり、図２に示すように、ポリカーボネート樹脂製の第１基板２１上に、第１中間層２２、第１記録層２３、第１反射層２４及び第１カバー層２５を順次形成した第１ディスク２０ａと、第１ディスク２０ａと同じ構成、即ち、第２基板３１上に、第２中間層３２、第２記録層３３、第２反射層３４及び第２カバー層３５を順次形成した第２ディスク２０ｂとを備え、接着層２６を介して、第１カバー層２５及び第２カバー層３５が向き合うように第１ディスク２０ａと第２ディスク２０ｂとを貼り合わせた構造を有する。
【００５８】
この例で用いたＡＯＤ２０は、次のようにして作製した。まず、第１基板２１は、直径１２０ｍｍ、厚さ０．６ｍｍのポリカーボネート樹脂製基板であり、射出成形により作製した。第１基板２１の表面には所定形状の溝等を形成した。次いで、第１基板２１上に、第１中間層２２としてＺｎＳ−ＳｉＯ２膜をスパッタ法により形成した。第１中間層２２は、ＺｎＳ−ＳｉＯ２ターゲットをアルゴンガス中でスパッタリングすることにより形成した。第１中間層２２の膜厚は２０ｎｍとした。なお、第１中間層２２としては、ＳｉＯ２膜を用いても良い。
【００５９】
次いで、第１中間層２２上に、有機色素を含有する第１記録層２３を形成した。第１記録層２３は次のようにして形成した。まず、カルボスチリル系化合物の中で、下記化学式で表される有機色素０．５ｇをオクタフルオロペンタノール４０ｇに溶解し、これを４０℃の温度で３０分間超音波分散した。次いで、超音波分散した溶液を０．２μｍのフィルターでろ過した。次いで、ろ過した溶液を第１基板２１上に回転数１３００ｒｐｍでスピンコートし、８０℃に温調されたオーブンで３０分乾燥して第１記録層２３を形成した。
【００６０】
【化１】
2006120199.tif 000003
【００６１】
次いで、第１記録層２３上に、第１反射層２４として、Ａｇ膜をスパッタ法により約１６０ｎｍの膜厚で形成した。次いで、第１反射層２３上に、紫外線硬化樹脂の前駆体をスピンコートし、紫外線照射により硬化させ、厚さ１０μｍの第１カバー層２５を形成した。上述のようにして第１ディスク２０ａを作製した。
【００６２】
次に、第２ディスク２０ｂを第１ディスク２０ａと同様の方法で作製した。次いで、接着層２６を介して、第１カバー層２５及び第２カバー層３５が向き合うように第１ディスク２０ａと第２ディスク２０ｂを貼り合わせた。接着層２６としては、遅効性紫外線硬化型接着剤を用いた。このようにして、この例のＡＯＤ２０を作製した。
【００６３】
また、この例で用いたＤＶＤ−Ｒ（１６Ｘ）の概略断面図を図３に示した。この例で用いたＤＶＤ−Ｒ４０は、有機色素を含有する記録層を備えた追記型の光記録媒体であり、図３に示すように、ポリカーボネート樹脂製の基板４１上に、記録層４２、反射層４３、接着層４４及びダミー基板４５を順次形成した構造を有する。この例で用いたＤＶＤ−Ｒ４０は次のようにして作製した。
【００６４】
まず、基板４１には帝人化成製ポリカーボネートＡＤ５５０３を用い、射出成形により基板４１を次のように作製した。射出成形機に所定パターンが形成されたスタンパを装着し、次いで、装着されたスタンパの所定パターンを射出成形により基板に転写して基板４１にプリフォーマット領域、情報記録領域等の所定パターンを形成した。情報記録領域にはトラックピッチ０．７４μｍ、半値幅０．３２μｍ及び深さ１７０ｎｍのグルーブを形成した。なお、基板４１の形状は、内径１５ｍｍ、外径１２０ｍｍ及び厚さ０．６ｍｍとした。
【００６５】
次いで、基板４１のプリフォーマット面上に、有機色素を含有する記録層４２を形成した。記録層４２は次のようにして形成した。まず、下記化学式で表わされるアゾ系色素１．３重量％の濃度を有するテトラフルオロプロパノール溶液を、基板４１上にスピンコートした。スピンコートは、回転数１００ｒｐｍで回転している基板４１上に上記色素溶液０．５ｇをディスペンサーで供給し、その後、回転数１０００ｒｐｍから３０００ｒｐｍまで基板４１を回転させ、最後に５０００ｒｐｍで２秒間回転させた。この際、基板４１に形成されたグルーブ部分での記録層４２の厚さが１３０ｎｍとなるように上記色素溶液を塗布した。次いで、上記色素溶液を塗布した基板４１を７０℃で１時間乾燥し、さらに、室温で１時間冷却した。こうして、記録層４２を基板４１上に形成した。
【００６６】
【化２】
2006120199.tif 000004
【００６７】
次いで、記録層４２上に、反射層４３としてＡｇ膜をスパッタ法により１６０ｎｍの膜厚で形成した。次いで、反射層４３上に、接着層４４として紫外線硬化型樹脂材料をスピンコートし、その上にダミー基板４５を載置した。ダミー基板４５としては、内径１５ｍｍ、外径１２０ｍｍ及び厚さ０．６ｍｍのポリカーボネート製基板を用いた。次いで、ダミー基板４５側から紫外線を照射して接着層４４を硬化し、上述の各層が形成された基板４１とダミー基板４５とを貼り合せた。このようにして、この例のＤＶＤ−Ｒ４０を作製した。なお、基板４１の記録層４２側とは反対側の表面に、ハードコート材料をコートすることも可能である。
【００６８】
［情報記録再生装置］
この例では、波長λ２＝４０５ｎｍ（青色）のレーザ及び開口数ＮＡ２＝０．６５の対物レンズが搭載されたＡＯＤに対応可能な光ヘッド（ＡＯＤヘッド）と、波長λ１＝６５０ｎｍ（赤色）のレーザ及び開口数ＮＡ１＝０．６０の対物レンズが搭載されたＤＶＤ−Ｒに対応可能な光ヘッド（ＤＶＤヘッド）とを備えた情報記録再生装置を用いた。この例の情報記録再生装置では、装着された光ディスクの種類（ＡＯＤまたはＤＶＤ−Ｒ）を判別するための光ヘッドとしてＡＯＤヘッドを用いた。
【００６９】
［光ディスクの識別方法］
次に、この例の光ディスクの識別方法について説明する。まず、ＤＶＤヘッド（赤色レーザ）でＤＶＤ−Ｒ（１６Ｘ）の情報再生を行う際に照射可能な赤色レーザの最大再生パワーＰｒ１ｍａｘ（ＤＶＤ−Ｒの記録データが破壊されない再生レーザパワーの最大値）を測定した。ＤＶＤ−Ｒに照射可能な赤色レーザの最大再生パワーＰｒ１ｍａｘの測定方法は次の通りである。まず、ＤＶＤヘッドでＤＶＤ−Ｒの情報記録領域に所定のレーザパワーＰｅ１のレーザ光を連続発光して照射した。次いで、ＤＶＤ−Ｒの通常の情報再生時に用いる再生パワー０．７ｍＷのレーザ光を、レーザパワーＰｅ１のレーザ光を照射した位置に照射して再生信号を検出した。上記測定をレーザパワーＰｅ１を変化させながら繰り返した。なお、この測定では、ＤＶＤ−Ｒの線速度は３．５ｍ／ｓとした。
【００７０】
上記測定により得られたレーザパワーＰｅ１に対する再生信号出力の変化量の特性を図１に示した。図１から明らかなように、レーザパワーＰｅ１をあるレーザパワーＰｅ１の値（図１中のＰｒ１ｍａｘ）より大きくすると再生信号出力に変化が生じ、さらにレーザパワーＰｅ１を大きくすると再生信号出力の変化量が飽和する特性が得られた。この例では、再生パワーＰｒ１ｍａｘは２．１ｍＷであった。レーザパワーＰｅ１を再生パワーＰｒ１ｍａｘより大きくすることにより再生信号出力が変化した理由は、再生パワーＰｒ１ｍａｘより大きなレーザパワーでレーザ光をＤＶＤ−Ｒに照射すると、有機色素を含有する記録層に不可逆変化が発生して加熱された記録層の領域が「記録」に相当する状態に変化し、その領域から得られる再生信号強度に変化が生じたためである。この結果から、この例では、ＤＶＤヘッドでＤＶＤ−Ｒの情報再生を行う際に、レーザパワーをＰｒ１ｍａｘ＝２．１ｍＷより大きくすると、ＤＶＤ−Ｒに記録された情報が破壊されたり、未記録領域に損傷を与えたりする可能性があることが分かった。それゆえ、この例では、図１中のレーザパワーＰｒ１ｍａｘ＝２．１ｍＷが、ＤＶＤヘッドでＤＶＤ−Ｒの情報再生時に照射可能な赤色レーザの最大再生パワーとなることが分かった。
【００７１】
次いで、上記方法で測定されたＤＶＤ−Ｒの情報再生時に照射可能な赤色レーザの最大再生パワーＰｒ１ｍａｘを上記（１）式、すなわち、
Ｐｒ２≦｛（λ２ＮＡ１）／（λ１ＮＡ２）｝２Ｐｒ１ｍａｘ（Ｖ２／Ｖ１）１／２＝Ｐｒ２ｍａｘ
に代入して、ＡＯＤヘッドでＤＶＤ−Ｒの識別情報を再生する際に照射可能な青色レーザの最大再生パワーＰｒ２ｍａｘを求めた。なお、この例では、光ディスク判別時の線速度はＶ１＝Ｖ２＝３．５ｍ／ｓとした。その結果、ＡＯＤヘッドでＤＶＤ−Ｒに照射可能な青色レーザの最大再生パワーＰｒ２ｍａｘ＝約０．７ｍＷとなった。すなわち、この例では、情報記録再生装置に装着された光ディスクの識別情報をＡＯＤヘッドで再生する際、青色レーザの再生パワーＰｒ２をＰｒ２ｍａｘ＝約０．７ｍＷ以下にすることにより、たとえ光ディスクとしてＤＶＤ−Ｒが装着された場合でもＤＶＤ−Ｒの記録情報が破壊されたり、未記録部に損傷を与えたりすることなく光ディスクの種類を判別することができる。
【００７２】
［記録再生方法］
次に、この例で用いた情報記録再生装置における光ディスクの判別からユーザー情報等の記録及び／又は再生までの一連の動作を図４を用いて説明する。なお、上記（１）式から求めたＡＯＤヘッドでＤＶＤ−Ｒの識別情報を再生する際に照射可能な青色レーザの最大再生パワーＰｒ２ｍａｘの情報は、予め情報記録再生装置のメモリ等に記憶しておく。
【００７３】
まず、情報記録再生装置に光ディスクを挿入する（ステップＳ１１）。次いで、ＡＯＤヘッドを駆動させて光ディスクの識別情報が記録されている領域（ＢＣＡ）上にＡＯＤヘッドを配置する（ステップＳ１２）。次いで、情報記録再生装置のメモリ等に記憶されている照射可能な青色レーザの最大再生パワーＰｒ２ｍａｘの情報を読み出して、判別時の再生条件（青色レーザの再生パワーＰｒ２）を設定する（ステップＳ１３）。この際、青色レーザの再生パワーＰｒ２は照射可能な青色レーザの最大再生パワーＰｒ２ｍａｘ以下の所定の値に設定される。次いで、設定された所定の再生パワーＰｒ２のレーザ光を光ディスクの識別情報が記録されている領域に照射し、光ディスクからの反射光に基いて光ディスクの識別情報を再生して光ディスクの種類（ＤＶＤ−ＲまたはＡＯＤ）を判別する（ステップＳ１４）。
【００７４】
ステップＳ１４で装着された光ディスクがＡＯＤであると判定された場合には、ＡＯＤヘッドを光ディスク上の情報を記録及び／又は再生する所定位置に配置し、ＡＯＤヘッドの記録再生条件を、通常、ＡＯＤにユーザー情報等を記録及び／又は再生する際の条件に設定する（ステップＳ１５）。次いで、ステップＳ１５で設定された記録再生条件で光ディスクの所定位置にレーザ光（青色）を照射して情報の記録及び／又は再生を行う（ステップＳ１６）。
【００７５】
ステップＳ１４で装着された光ディスクがＤＶＤ−Ｒであると判定された場合には、光ヘッドをＡＯＤヘッドからＤＶＤヘッドに切り換えて、ＤＶＤヘッドを光ディスク上の情報を記録及び／又は再生する所定位置に配置する（ステップＳ１７）。次いで、ＤＶＤヘッドの記録再生条件を、通常、ＤＶＤ−Ｒにユーザー情報等を記録及び／又は再生する際の条件に設定する（ステップＳ１８）。次いで、ステップＳ１８で設定された記録再生条件でレーザ光（赤色）を光ディスクの所定位置に照射して情報の記録再生を行う（ステップＳ１９）。
【００７６】
［判別試験］
実際に、この例の識別方法を用いて光ディスクの判別を行った。なお、この例では、ＤＶＤ−Ｒ装着時のデータ破壊の危険性をより小さくするために、光ディスクの判別時にＡＯＤヘッドから照射するレーザ光の再生パワーＰｒ２を照射可能な最大再生パワーＰｒ２ｍａｘ＝０．７ｍＷ付近の値に設定せず、余裕をもたせてＰｒ２＝０．３５ｍＷとした。その結果、情報記録再生装置に装着される光ディスクの種類に関係無く判別することができた。また、ＤＶＤ−Ｒが装着された場合にもＤＶＤ−Ｒに記録された情報を破壊することなく光ディスクの識別情報を再生することができた。
【００７７】
しかしながら、ＡＯＤヘッドから光ディスクに照射するレーザ光の再生パワーＰｒ２を０．８ｍＷとして光ディスクの判別を行ったところ、情報記録再生装置にＡＯＤが装着された場合には問題なく判別することができたが、情報記録再生装置にＤＶＤ−Ｒが装着された場合には、ＤＶＤ−Ｒに記録されていたデータの一部が破壊された。このデータの一部が破壊されたＤＶＤ−Ｒに対して、判別後にＤＶＤヘッドを用いて情報再生を行ったがエラーが発生した。
【００７８】
また、この例では、再生パワーＰｒ２＝０．５５ｍＷの青色レーザをＤＶＤ−Ｒの同一トラックに照射して１００００回の情報再生を行った。その結果、ジッターの上昇は見られなかった。しかしながら、再生パワーＰｒ２＝０．７ｍＷの青色レーザを用いて、同様の測定を行ったところ、ジッターが１％上昇した。本発明のように、青色レーザで赤色レーザ対応のＤＶＤ−Ｒの識別情報を再生するような場合には、１００００回の同一トラック再生に対する耐久性は必要ない。しかしながら、例えば、青色レーザでＤＶＤ−Ｒに記録されているユーザー情報等を通常再生することを考慮に入れた場合には、設計上、１００００回の同一トラック再生に対する耐久性を考慮する必要があり、その場合には青色レーザの再生パワーＰｒ２を照射可能な最大再生パワーＰｒ２ｍａｘより低めに設定することが好ましい。具体的には、上記測定結果から光ディスク判別用の青色レーザの再生パワーＰｒ２を、ＤＶＤ−Ｒに照射可能な最大再生パワーＰｒ２ｍａｘの約８０％以下（この例では約０．５５ｍＷ以下）に設定することがより好ましいことが分かった。
【００７９】
なお、この例のように、２つの光学系の波長が６５０ｎｍと４０５ｎｍで大きく離れている場合、特に、スポットの面積比が２倍以上となる場合には、各光ヘッドから光ディスクに照射されるレーザ光のエネルギー密度の差が大きくなる。それゆえ、このような場合に光ディスク判別時の短波長レーザの再生条件をユーザー情報等の再生時に用いる再生条件に設定すると、長波長レーザ対応の光ディスクに記録された情報を破壊する危険が非常に高くなる。それゆえ、この例のように、波長の差が大きな複数の光ヘッドを備える情報記録再生装置では、本発明の識別方法の効果がより発揮される。
【００８０】
なお、理論的にはＤＶＤ−Ｒ（第１記録媒体）のデータ破壊が発生しない青色レーザ（第２光ビーム）の最大再生パワーＰｒ２ｍａｘは、上記（１）式で求められるが、上記（１）式中の赤色レーザ（第１光ビーム）の最大再生パワーＰｒ１ｍａｘを実測する代わりに、通常ＤＶＤ−Ｒ（第１記録媒体）を赤色レーザ（第１光ビーム）で再生する際に設定される再生パワーＰｒ１を（１）式に代入して、光ディスク判別時の再生パワーＰｒ２を設定することも可能である。すなわち、
Ｐｒ２≦｛（λ２ＮＡ１）／（λ１ＮＡ２）｝２Ｐｒ１（Ｖ２／Ｖ１）１／２  …（１’）
として、光ディスク判別時の青色レーザ（第２光ビーム）の再生パワーＰｒ２を設定しても良い。この方法によれば、最大再生パワーＰｒ１ｍａｘを実測することなく簡便に再生パワーＰｒ２を設定することができる。ただし、（１’）式を用いて光ディスク判別時の再生条件を設定した場合には、その設定可能な範囲は、（１）式を用いて設定した範囲に含まれるので、（１）式を用いて設定した範囲より狭くなる。それゆえ、状況に応じて適宜（１）式または（１’）式を選択することが好ましい。
【００８１】
例えば、本実施例のように、ＤＶＤヘッドでＤＶＤ−Ｒを通常再生する際の再生パワーＰｒ１を０．７ｍＷとし、線速度Ｖ１及びＶ２をともに３．５ｍ／ｓとすると、上記（１’）式の右辺は０．２３ｍＷとなる。それゆえ、本実施例では、ＡＯＤヘッドのレーザ光（第２光ビーム）を用いてＤＶＤ−Ｒの識別情報を再生する際の再生パワーＰｒ２を０．２３ｍＷ以下に設定すれば良い。実際に、この条件で光ディスクの判別を行ったところ、情報記録再生装置に装着される光ディスクの種類に関係無く光ディスクの判別を行うことができた。また、ＤＶＤ−Ｒが装着された場合にも、ＤＶＤ−Ｒに記録された情報を破壊することなくＤＶＤ−Ｒの識別情報を再生することができた。
【実施例２】
【００８２】
実施例２では、ＡＯＤヘッドで光ディスクの識別情報を再生する際の青色レーザの照射可能な最大再生パワーＰｒ２ｍａｘを実測して求めた。青色レーザの照射可能な最大再生パワーＰｒ２ｍａｘを実測した以外は、実施例１と同様の方法で光ディスクの判別を行い同様の効果が得られた。青色レーザの照射可能な最大再生パワーＰｒ２ｍａｘは、図１で説明したＤＶＤ−Ｒに照射可能な赤色レーザの最大再生パワーＰｒ１ｍａｘの測定方法と同様にして、次のように実測した。
【００８３】
まず、ＡＯＤヘッド（波長λ２＝４０５ｎｍ、レンズの開口数ＮＡ２＝０．６５）で、ＤＶＤ−Ｒの情報記録領域に所定のレーザパワーＰｅ２のレーザ光を連続発光して照射した。次いで、レーザパワーＰｅ２のレーザ光を照射した位置に、再生レーザパワーを０．１５ｍＷと低めに設定した再生光を照射して信号を検出した。上記測定をレーザパワーＰｅ２を変化させながら繰り返した。この測定では、ＤＶＤ−Ｒの線速度Ｖ１は３．５ｍ／ｓとした。なお、この測定は、ＡＯＤヘッドからＤＶＤ−Ｒにレーザ光を照射した際にＤＶＤ−Ｒのデータ破壊が起こる限界再生レーザパワーが不明な状態で行うので、再生光をＤＶＤ−Ｒに照射して信号を検出する際の再生レーザパワーは極力低く設定することが好ましい。
【００８４】
この測定により得られたレーザパワーＰｅ２に対する再生信号出力の変化量の特性を図５に示した。図５から明らかなように、レーザパワーＰｅ２があるレーザパワーＰｅ２の値（図５中のＰｒ２ｍａｘ）より大きくなると再生信号出力に変化が生じ、さらにレーザパワーＰｅ２が大きくなると再生信号出力の変化量が飽和する特性が得られた。この例では、レーザパワーＰｒ２ｍａｘは０．７ｍＷであった。この結果から、この例では、ＡＯＤヘッドでＤＶＤ−Ｒの情報再生を行う際に、レーザパワーをＰｒ２ｍａｘ＝０．７ｍＷより大きくすると、ＤＶＤ−Ｒに記録された情報が破壊されたり、未記録領域に損傷を与えたりする可能性があることが分かった。すなわち、ＡＯＤヘッドで光ディスクの識別情報を再生する際の青色レーザの照射可能な最大再生パワーＰｒ２ｍａｘが０．７ｍＷであることが分かった。
【００８５】
上述のように、図５の特性実験から得られた青色レーザの照射可能な最大再生パワーＰｒ２ｍａｘは０．７ｍＷとなり、実施例１の（１）式から求められた最大再生パワーＰｒ２ｍａｘと一致した。この結果から、ＡＯＤヘッドで光ディスクの識別情報を再生する際の青色レーザの照射可能な最大再生パワーＰｒ２ｍａｘの求め方としては、実施例１及び２のいずれの方法で求めても良いことが分かった。
【実施例３】
【００８６】
実施例３では、実施例１と同様に、青色レーザで情報の記録再生が可能なＡＯＤと、赤色レーザで情報の記録再生が可能なＤＶＤ−Ｒとを駆動することができる情報記録再生装置における、光ディスクの識別方法について説明する。また、この例では、実施例１と同様に、ＡＯＤヘッドで情報記録再生装置に装着された光ディスクの種類を判別した。そして、この例では、光ディスクの種類を判別する際に、上記（２）または（２’）式の関係を満たすように、光ディスク判別時における光ディスクの線速度Ｖ２を設定した。すなわち、この例では、ＡＯＤヘッドで光ディスクの識別情報を再生する際の光ディスクの線速度をＶ２を
Ｖ２≧｛（λ１ＮＡ２）／（λ２ＮＡ１）｝４（Ｐｒ２／Ｐｒ１ｍａｘ）２Ｖ１
または
Ｖ２≧｛（λ１ＮＡ２）／（λ２ＮＡ１）｝４（Ｐｒ２／Ｐｒ１）２Ｖ１
の関係が満たされるように設定した。
【００８７】
ＡＯＤヘッドで光ディスクの種類を判別する際に、光ディスクの線速度Ｖ２を上述のように設定したこと以外は、実施例１と同様にして、光ディスクの判別を行った。また、この例で用意したＡＯＤ及びＤＶＤ−Ｒ並びに情報記録再生装置は実施例１で用いたものと同じものを用いた。また、この例における光ディスクの判別からユーザー情報等の記録及び／又は再生までの一連の動作では、実施例１で説明した図４のフローチャート中のステップＳ１３で、上記（２）または（２’）式を満足するように光ディスクの線速度Ｖ２を設定したこと以外は、実施例１と同じ手順で情報の記録及び／又は再生を行った。
【００８８】
この例の光ディスクの識別方法は、次の通りである。まず、実施例１と同様の測定方法（図１で説明した測定方法）で、ＤＶＤヘッドでＤＶＤ−Ｒに照射可能な赤色レーザの最大再生パワーＰｒ１ｍａｘを求めた。その結果、Ｐｒ１ｍａｘは２．１ｍＷであった。次いで、この最大再生パワーＰｒ１ｍａｘを上記（２）式に代入すると、ＡＯＤヘッドで光ディスクの識別情報を再生する際の光ディスクの線速度Ｖ２の最小値Ｖ２ｍｉｎが求められる。なお、この例では、上記（２）式から求められた光ディスク判別時の最小線速度Ｖ２ｍｉｎの情報は、光ディスクの判別前に予め情報記録再生装置のメモリ等に記憶しておく。また、上記（２）式から光ディスク判別時の最小線速度Ｖ２ｍｉｎを求める際、ＡＯＤヘッドから照射されるレーザ光の再生パワーＰｒ２は、所定の値、例えば、ＡＯＤのユーザー情報等を再生する際の最適パワーに設定することが好ましい。
【００８９】
次いで、情報記録再生装置に装着された光ディスクを判別する際に、情報記録再生装置のメモリ等に記憶されている光ディスク判別時の最小線速度Ｖ２ｍｉｎの情報を読み出して、光ディスクの線速度Ｖ２が最小値Ｖ２ｍｉｎ以上になるように設定する（図５のフローチャート中のステップＳ１３）。次いで、設定された所定の線速度Ｖ２で光ディスクを駆動し、ＡＯＤヘッドから光ディスクにレーザ光（青色）を照射する。そして、光ディスクからの反射光に基いて光ディスクの識別情報を再生し、光ディスクの種類を判別する。
【００９０】
この例の光ディスクの識別方法では、装着された光ディスクがＤＶＤ−Ｒであっても、照射される青色レーザのエネルギー密度がＤＶＤ−Ｒに記録された情報を破壊しないエネルギー密度となるように光ディスク判別時の線速度Ｖ２が調整されているので、ＤＶＤ−Ｒに記録された情報を破壊することなく光ディスクの判別を行うことができる。
【００９１】
なお、この例の識別方法では、（２’）式を用いて光ディスク判別時の最小線速度Ｖ２ｍｉｎを求めて、光ディスク判別時の線速度Ｖ２を設定しても良い。例えば、Ｐｒ１＝０．７ｍＷ、Ｐｒ２＝０．３５ｍＷ及びＶ１＝３．５ｍ／ｓとして、（２’）式からＶ２ｍｉｎを求めると、Ｖ２ｍｉｎ＝８ｍ／ｓとなる。また、Ｐｒ１＝０．７ｍＷ、Ｐｒ２＝０．３ｍＷ及びＶ１＝３．５ｍ／ｓとして、（２’）式からＶ２ｍｉｎを求めると、Ｖ２ｍｉｎ＝５．９ｍ／ｓとなる。また、（２’）式を用いて光ディスク判別時の最小線速度Ｖ２ｍｉｎを求める場合には、（２’）式中のレーザパワーＰｒ１及びＰｒ２として、実際にＤＶＤ−Ｒ及びＡＯＤのユーザー情報等を再生する際の最適なレーザパワーＰｒ１及びＰｒ２を用いることができる。この場合、光ディスクの判別後に再度、再生パワーを設定する必要が無くなるので、光ディスクの判別から情報の記録及び／又は再生開始までの時間を一層短縮することができる。
【００９２】
次に、実際に、この例の光ディスクの識別方法を用いて光ディスクの判別を行った。なお、ここでは、（２’）式を用いて求められた光ディスク判別時の最小線速度Ｖ２ｍｉｎの条件により、光ディスク判別時の青色レーザのパワーをＰｒ２＝０．３ｍＷとし、線速度Ｖ２を６．６ｍ／ｓとした。その結果、情報記録再生装置に装着される光ディスクの種類に関係無く判別することができ、ＤＶＤ−Ｒが装着された場合にもＤＶＤ−Ｒに記録された情報を破壊することなく光ディスクの識別情報を再生することができた。また、光ディスク判別時の青色レーザのパワーをＰｒ２＝０．３５ｍＷとし、線速度Ｖ２を８ｍ／ｓとした場合にも、情報記録再生装置に装着される光ディスクの種類に関係無く判別することができ、ＤＶＤ−Ｒに記録された情報を破壊することなく判別することができた。
【００９３】
しかしながら、光ディスク判別時の青色レーザのパワーをＰｒ２＝０．３ｍＷとし、線速度Ｖ２を５．９ｍ／ｓ以下とした場合、あるいは、光ディスク判別時の青色レーザのパワーをＰｒ２＝０．３５ｍＷとし、線速度Ｖ２を８．０ｍ／ｓ以下とした場合、情報記録再生装置にＡＯＤが装着された場合には問題なく判別することができたが、情報記録再生装置にＤＶＤ−Ｒが装着された場合には、ＤＶＤ−Ｒに記録されていたデータの一部が破壊されるケースが発生した。このデータの一部が破壊されたＤＶＤ−Ｒに対して、判別後にＤＶＤヘッドを用いて情報再生を行ったがエラーが発生した。
【実施例４】
【００９４】
実施例４では、ＡＯＤヘッドで光ディスクの識別情報を再生する際の光ディスクの線速度の最小値Ｖ２ｍｉｎを実測して求めた。光ディスクの線速度の最小値Ｖ２ｍｉｎを実測した以外は、実施例３と同様にして光ディスクの判別を行い、同様の効果が得られた。光ディスク判別時の光ディスクの線速度Ｖ２ｍｉｎは次のようにして測定した。
【００９５】
所定の情報が記録されたＤＶＤ−Ｒを情報記録再生装置に装着し、ＤＶＤ−Ｒの線速度Ｖ２を変えながら、ＡＯＤヘッドで所定の再生パワーＰｒ２のレーザ光をＤＶＤ−Ｒに照射して、再生信号の変化を調べた。ここでは、Ｐｒ２＝０．３ｍＷとした。その結果、線速度をＶ２＝０．６５ｍ／ｓより低くすると、再生信号に変化が現れ、データの破壊が起こることが分かった。それゆえ、この例では、ＤＶＤ−Ｒに記録された情報を破壊せずにＡＯＤヘッドで再生するための最小線速度（限界再生線速度）Ｖ２ｍｉｎが０．６５ｍ／ｓであることが分かった。
【００９６】
実際に、光ディスク判別時の青色レーザの再生パワーＰｒ２を０．３ｍＷとし、線速度Ｖ２を０．６５ｍ／ｓ以上に設定して、光ディスクの判別を行ったところ、情報記録再生装置に装着される光ディスクの種類に関係無く判別することができた。また、ＤＶＤ−Ｒが装着された場合にもＤＶＤ−Ｒに記録された情報を破壊することなく光ディスクの識別情報を再生することができた。
【００９７】
しかしながら、光ディスク判別時の青色レーザの再生パワーをＰｒ２＝０．３ｍＷとし、線速度Ｖ２を０．６５ｍ／ｓより小さくすると、情報記録再生装置にＡＯＤが装着された場合には問題なく判別することができたが、情報記録再生装置にＤＶＤ−Ｒが装着された場合には、ＤＶＤ−Ｒに記録されていたデータの一部が破壊された。このデータの一部が破壊されたＤＶＤ−Ｒに対して、判別後にＤＶＤヘッドを用いて情報再生を行ったがエラーが発生した。
【実施例５】
【００９８】
実施例５では、実施例１と同様に、青色レーザで情報の記録再生が可能なＡＯＤと、赤色レーザで情報の記録再生が可能なＤＶＤ−Ｒとを駆動することができる情報記録再生装置における、光ディスクの識別方法について説明する。また、この例では、実施例１と同様に、情報記録再生装置に装着された光ディスクの種類をＡＯＤヘッドで判別した。そして、この例では光ディスクの種類を判別する際に、ＡＯＤヘッドから光ディスクに照射されるレーザ光をデフォーカスしてスポットサイズを広げた。具体的には、上記（３）式の関係を満たすように、すなわち、
α≧（Ｐｒ２／Ｐｒ１ｍａｘ）｛（λ１ＮＡ２）／（λ２ＮＡ１）｝２ 
の関係を満足するように、ＡＯＤヘッドから光ディスクに照射されるレーザ光のスポット面積の合焦点時のスポット面積に対する拡大率αを設定した。
【００９９】
この例では、ＡＯＤヘッドで光ディスクの種類を判別する際に、ＡＯＤヘッドから光ディスクに照射されるレーザ光のスポット面積の拡大率αを上式の関係を満足するように調整したこと以外は、実施例１と同様にして、光ディスクの判別を行った。また、この例で用意したＡＯＤ及びＤＶＤ−Ｒ並びに情報記録再生装置は実施例１で用いたものと同じものを用いた。また、この例における光ディスクの判別からユーザー情報等の記録及び／又は再生までの一連の動作では、実施例１で説明した図４のフローチャート中のステップＳ１３で、上記（３）式を満足するようにＡＯＤヘッドから光ディスクに照射されるレーザ光のスポット面積の拡大率αを設定したこと以外は、実施例１と同じ手順で情報の記録及び／又は再生を行った。
【０１００】
この例の光ディスクの識別方法は、次の通りである。まず、実施例１と同様の測定方法（図１で説明した測定方法）で、ＤＶＤヘッドでＤＶＤ−Ｒに照射可能な赤色レーザの最大再生パワーＰｒ１ｍａｘを求めた。その結果、Ｐｒ１ｍａｘは２．１ｍＷであった。この最大再生パワーＰｒ１ｍａｘを上記（３）式に代入すると、光ディスク判別時にＡＯＤヘッドから光ディスクに照射されるレーザ光のスポット面積の拡大率αの最小値αｍｉｎが求められる。なお、この例では、上記（３）式から求められた光ディスク判別時の最小拡大率αｍｉｎの情報は、光ディスクの判別前に予め情報記録再生装置のメモリ等に記憶しておく。また、上記（３）式から光ディスク判別時の最小拡大率αｍｉｎを求める際、ＡＯＤヘッドから照射されるレーザ光の再生パワーＰｒ２は、所定の値、例えば、ＡＯＤのユーザー情報等を再生する際の最適な再生パワーに設定することが好ましい。
【０１０１】
次いで、情報記録再生装置に装着された光ディスクを判別する際に、情報記録再生装置のメモリ等に記憶されている光ディスク判別時の最小拡大率αｍｉｎの情報を読み出して、光ディスク判別時におけるＡＯＤヘッドから光ディスクに照射されるレーザ光のスポット面積の拡大率αが最小値αｍｉｎ以上になるように設定する（図４のフローチャート中のステップＳ１３）。次いで、ＡＯＤヘッドから光ディスクに照射されるレーザ光のスポット面積の拡大率αが設定された値になるように、レーザ光をデフォーカスして光ディスクに照射する。そして、光ディスクからの反射光に基いて光ディスクの識別情報を再生し、光ディスクの種類を判別する。
【０１０２】
この例の識別方法では、装着された光ディスクがＤＶＤ−Ｒであっても、ＡＯＤヘッドからＤＶＤ−Ｒに照射されるレーザ光（青色）のエネルギー密度がＤＶＤ−Ｒに記録された情報を破壊しないエネルギー密度となるようにレーザ光がデフォーカスされている。それゆえ、ＤＶＤ−Ｒに記録された情報を破壊することなく光ディスクの判別を行うことができる。
【０１０３】
ここで、ＡＯＤヘッドから光ディスクに照射されるレーザ光をデフォーカスさせて、レーザ光のスポット面積の拡大率αを調整する方法について、図６を用いて具体的に説明する。従来、レーザ光の焦点を記録膜面に合わせる際、最初、レンズをディスクから最も離れた場所に位置させておき、徐々にレンズをディスクに近づけて焦点を合わせる。この際、図６に示すようなＳ字曲線と呼ばれるフォーカス検出信号が得られる。図６のＳ字曲線では、横軸がレーザ光のフォーカス位置であり、図面上のＳ字曲線の右から左に向かって、レーザ光の焦点位置が光ディスクから遠くなる（レンズが光ディスクから離れる）方向になる。従来の情報の記録再生時には、フォーカス検出信号がＳ字曲線のゼロクロスの位置（図６中の点Ｚ０）になるように光学系（レンズ）がフォーカス制御される。
【０１０４】
しかしながら、この例の識別方法では、光ディスクの判別時に、光ディスクに照射されるレーザ光のエネルギー密度を調整するために、レーザ光をデフォーカスして光ディスクに照射する。具体的には、情報記録再生装置内の自動焦点調節回路に所定のオフセット量を与えた状態で、レーザ光の焦点位置をサーボ制御する。Ｓ字曲線のゼロクロスの位置からのオフセット量と光ディスクに照射されるレーザ光のスポットサイズには相関があり、Ｓ字曲線のゼロクロスの位置からのオフセット量が大きいほど、光ディスクに照射されるレーザ光のスポットサイズも大きくなる。それゆえ、オフセット量を調整することにより光ディスクに照射されるレーザ光のスポット面積の拡大率αを調整することができる。
【０１０５】
なお、上記（３）式から光ディスク判別時のレーザ光の最小拡大率αｍｉｎを求める際、ＤＶＤ−Ｒに照射可能な赤色レーザの最大再生パワーＰｒ１ｍａｘ及び光ディスク判別時にＡＯＤヘッドから照射される青色レーザの再生パワーＰｒ２として、実際にＤＶＤ−Ｒ及びＡＯＤからそれぞれユーザー情報等を再生する際の最適なレーザパワーＰｒ１及びＰｒ２を用いても良い。この場合、光ディスクの判別後に再度、再生パワーを設定する必要が無くなるので、光ディスクの判別からユーザー情報等の記録及び／又は再生開始までの時間を一層短縮することができる。
【０１０６】
例えば、Ｐｒ１＝０．７ｍＷ、Ｐｒ２＝０．３５ｍＷとして、（３）式からレーザ光のスポット面積の最小拡大率αｍｉｎを求めると、αｍｉｎ＝約１．５となる。また、Ｐｒ１＝０．７ｍＷ、Ｐｒ２＝０．３ｍＷとした場合には、スポット面積の最小拡大率αｍｉｎはαｍｉｎ＝約１．３となる。
【０１０７】
次に、実際に、この例の光ディスクの識別方法を用いて光ディスクの判別を行った。なお、この測定では、上記（３）式から光ディスク判別時のレーザ光の最小拡大率αｍｉｎを求める際には、ＤＶＤ−Ｒに照射可能な赤色レーザの最大再生パワーＰｒ１ｍａｘの代わりに、ＤＶＤ−Ｒからユーザー情報等を再生する際の最適なレーザパワーＰｒ１＝０．７ｍＷを代入して求め、レーザ光の拡大率αが最小拡大率αｍｉｎ以上となるように調整した。具体的には、Ｐｒ２＝０．３ｍＷ、Ｖ２＝３．５ｍ／ｓとして、α＝１．３が得られ、この条件で光ディスクの判別を行った。その結果、情報記録再生装置に装着される光ディスクの種類に関係無く判別することができ、情報記録再生装置にＤＶＤ−Ｒが装着された場合でもＤＶＤ−Ｒに記録された情報を破壊することなく光ディスクの判別を行うことができた。また、Ｐｒ２＝０．３５ｍＷ、Ｖ２＝３．５ｍ／ｓとし、α＝１．５が得られた場合にも、情報記録再生装置に装着される光ディスクの種類に関係無く判別することができ、ＤＶＤ−Ｒに記録された情報を破壊することなく光ディスクの判別を行うことができた。
【０１０８】
なお、上記（３）式で求められる拡大率αの範囲が、理論上、光ディク判別時にデータ破壊を発生させない拡大率αの範囲であるが、上述のように、（３）式中のＤＶＤ−Ｒに照射可能な赤色レーザの最大再生パワーＰｒ１ｍａｘの代わりに、ＤＶＤ−Ｒからユーザー情報等を再生する際の最適なレーザパワーＰｒ１を代入して拡大率αの範囲を求める方法は、簡便且つ安全に光ディスク判別時の再生条件を設定することができる方法である。この方法では、
α≧（Ｐｒ２／Ｐｒ１）｛（λ１ＮＡ２）／（λ２ＮＡ１）｝２  …（３’）
を用いて拡大率αの設定可能な範囲を求める。この場合、最大再生パワーＰｒ１ｍａｘを実測する必要が無くなるので、簡便に拡大率αの設定範囲を求めることができる。（３）式と（３’）式との関係は、上述した再生パワーＰｒ２を設定する際の（１）式と（１’）式との関係、あるいは、線速度Ｖ２を設定する際の（２）式と（２’）式との関係と同様の関係に相当する。
【０１０９】
しかしながら、Ｐｒ２＝０．７ｍＷより大きくし、Ｖ２＝３．５ｍ／ｓとし、レーザ光の拡大率をα＝１．０、すなわち、合焦点状態にすると、情報記録再生装置にＡＯＤが装着された場合には問題なく判別することができたが、情報記録再生装置にＤＶＤ−Ｒが装着された場合には、ＤＶＤ−Ｒに記録されていたデータの一部が破壊された。このデータの一部が破壊されたＤＶＤ−Ｒに対して、判別後にＤＶＤヘッドを用いて情報再生を行ったがエラーが発生した。
【実施例６】
【０１１０】
実施例６では、ＡＯＤヘッドで光ディスクの識別情報を再生する際のレーザ光のスポット面積の拡大率αの最小値αｍｉｎを実測して求めた。レーザ光のスポット面積の最小拡大率αｍｉｎを実測した以外は、実施例５と同様にして光ディスクの判別を行い、同様の効果が得られた。光ディスク判別時のレーザ光のスポット面積の最小拡大率αｍｉｎは、次のようにして測定した。
【０１１１】
所定の情報が記録されたＤＶＤ−Ｒを情報記録再生装置に装着し、ＤＶＤ−Ｒの記録領域にＡＯＤヘッドで所定の再生パワーＰｒ２（＝０．８ｍＷ）のレーザ光をオフセット量（拡大率α）を変化させながらＤＶＤ−Ｒに照射し、具体的には、レーザ光の焦点位置をＤＶＤ−Ｒに近づけながらＤＶＤ−Ｒにレーザ光を照射して、ＤＶＤ−Ｒに記録された情報を再生する。この際、レーザ光の焦点位置を徐々にＤＶＤ−Ｒに近づけると、ある焦点位置より近づけると、再生信号に変化が現れる。このレーザ光の焦点位置がＤＶＤ−ＲをＡＯＤヘッドで再生する際の限界再生焦点位置であり、この焦点位置よりレーザ光の焦点位置をＤＶＤ−Ｒに近づけると、ＤＶＤ−Ｒに記録されたデータが破壊されるおそれがある。それゆえ、レーザ光の限界再生焦点位置に対応するオフセット量から光ディスク判別時のレーザ光の拡大率αの最小値αｍｉｎが求められる。
【０１１２】
実際に、ＡＯＤヘッドからＤＶＤ−Ｒに照射するレーザ光の再生パワーＰｒ２を０．８ｍＷとして、レーザ光の焦点位置の光ディスクへの接近限界位置を実測した。なお、この接近限界位置は、レーザ光の焦点位置を遠方より徐々に光ディスクに近づけ、再生信号に変化が現れる位置をもって検出した。その結果、検出された位置は、拡大率α＝１．１４に相当する位置であった。レーザ光の焦点位置がこのオフセット位置より遠方になるようにレーザ光をデフォーカス制御することにより、情報記録再生装置にＤＶＤ−Ｒが装着された場合にもＤＶＤ−Ｒに記録された情報を破壊することなく判別することができることが分かった。
【０１１３】
上記実施例１〜６では、青色レーザを搭載した光ヘッド（ＡＯＤヘッド）で光ディスクの種類を判別する際に、装着された光ディスクに記録されたデータが破壊されないように、ＡＯＤヘッドから照射されるレーザパワー、レーザ光のスポットサイズまたは光ディスクの線速度を調整した例を説明したが、本発明はこれに限定されない。また、これらの調整方法を組合わせて、ＡＯＤヘッドから照射されるレーザ光のエネルギー密度を調整しても良い。
【０１１４】
上記実施例１〜６では、光ディスクの判別を行う際の課題に対する解決策を説明したが、本発明はこれに限定されない。すなわち、上述した光ディスクの判別を行う際の課題は、所定の光ディスクに対して、その光ディスクに対応しない光学系を用いて信号を再生する際には共通して発生する問題であるので、上記光ディスクの判別を行う場合以外のケース、例えば、ユーザー情報の記録再生等の場合にも本発明を適用することが可能である。
【０１１５】
上記実施例１〜６では、光ディスク判別時に、光ディスクからの反射光に基いて光ディスクの識別情報を再生したが、本発明はこれに限定されず、光ディスクの透過光に基いて光ディスクの識別情報を再生しても良い。
【０１１６】
［応用例］
この例では、本発明の光ディスクの識別方法を用いた記録再生システムの一例を説明する。上述の実施例１〜６では、近い将来、光ディスクの使用頻度が赤色レーザ対応のＤＶＤより青色レーザ対応のＡＯＤの方が増大すること、すなわち、大容量規格の光ディスクの使用頻度が増大することを想定して、青色レーザを搭載したＡＯＤヘッドで光ディスクの判別を行なうシステムについて説明した。しかしながら、将来、大容量規格の光ディスクの使用頻度が増大したとしても、ユーザーによっては主に使用する光ディスクがＤＶＤであるという場合も当然あり得る。そこで、この例では、主に使用する光ディスクがＤＶＤであるというユーザーも考慮した記録再生システムについて説明する。
【０１１７】
なお、この例では、青色レーザで情報の記録再生が可能なＡＯＤと、赤色レーザで情報の記録再生が可能なＤＶＤとを駆動することができる記録再生システムについて説明する。この例の記録再生システムにおける、光ディスクの情報の記録再生手順を図７に示した。この例の記録再生システムでは、図７に示すように、光ディスク判別時にＡＯＤヘッドを用いる処理系統（図７中の破線Ｓ１０のステップを行う系統）と、光ディスク判別時にＤＶＤヘッド用いる処理系統（図７中の破線Ｓ２０のステップを行う系統）とを有する。そして、この例の記録再生システムでは、光ディスクの種類を判別するために駆動する光ヘッドを選択できる切り換え手段（図７中のステップＳ０を行う手段、以下、光ヘッドスイッチという）を備えている。
【０１１８】
ただし、この光ヘッドスイッチは、ユーザーが頻繁に使用する光ディスクの種類に応じて、光ディスクが情報記録再生装置に装着された際に最初に駆動する（光ディスクの判別に使用する）光ヘッドをユーザー自身により選択することができる機能を有するものであることが好ましい。例えば、光ヘッドスイッチとして、記録再生装置にディップスイッチなどの機械的な切り換え手段を設けても良いし、情報記録再生装置をパーソナルコンピュータなどの外部装置に接続して外部からソフトウェア上で最初に駆動する光ヘッドの切り換えができるような切り換え手段を用いても良い。すなわち、光ヘッドスイッチとしては、システム形態等に応じて任意の手段を用いることができる。
【０１１９】
この例の記録再生システムでは、例えば、ユーザーがＤＶＤを頻繁に使用するユーザーであれば、光ディスクが情報記録再生装置に装着された際に最初に駆動する光ヘッドとしては、リードタイムを短縮する点でＤＶＤヘッドを選択した方が好ましい。それゆえ、そのようなユーザーの場合には、予め光ヘッドスイッチにより、図７中ステップＳ２０の処理系統を選択すればよい。逆に、ユーザーが頻繁にＡＯＤを使用するユーザーである場合には、光ディスクが情報記録再生装置に装着された際に最初に駆動する光ヘッドとしては、リードタイムを短縮する点でＡＯＤヘッドを選択した方が好ましい。それゆえ、そのようなユーザーの場合には、予め光ヘッドスイッチにより、図７中ステップＳ１０の処理系統を選択すればよい。
【０１２０】
このように、ユーザーが頻繁に用いる光ディスクの種類に応じて、光ヘッドスイッチで光ディスクが情報記録再生装置に装着された際に最初に駆動する光ヘッドの選択を行なうことにより、光ディスクの判別からユーザー情報等の記録及び／又は再生までの一連の処理時間をユーザーの使用形態に合わせて総合的に短縮することが可能になる。
【０１２１】
次に、この例の記録再生システムにおける光ディスクの判別からユーザー情報等の記録及び／又は再生までの一連の動作を図７を用いて説明する。
【０１２２】
まず、予め（例えば、装置購入時等）、ユーザーが頻繁に使用する光ディスクの種類に応じて、光ディスクが情報記録再生装置に装着された際に最初に駆動する（光ディスクの判別に使用する）光ヘッドを光ヘッドスイッチにより選択しておく（ステップＳ０）。具体的には、ＤＶＤを頻繁に使用するユーザーであれば、光ヘッドスイッチによりＳ２０の処理系統を選択し、ＡＯＤを頻繁に使用するユーザーであれば、光ヘッドスイッチによりＳ１０の処理系統を選択する。
【０１２３】
ステップＳ０でＳ２０の処理系統を選択した場合、光ディスクが情報記録再生装置に装着された際に光ディスクの判別に使用する光ヘッドとしてはＤＶＤヘッドが用いられ、次の手順で光ディスクの判別、並びに、ユーザー情報等の記録及び／又は再生が行われる。まず、情報記録再生装置に光ディスクを挿入する（ステップＳ２１）。次いで、ＤＶＤヘッドを駆動させて光ディスクの識別情報が記録されている領域（例えば、ＢＣＡ）上にＤＶＤヘッドを配置する（ステップＳ２２）。次いで、ＤＶＤヘッドで光ディスクの識別情報を再生する際の再生条件を、ＤＶＤのユーザー情報等を再生する際に通常用いられる再生条件に設定する（ステップＳ２３）。次いで、設定された所定の再生パワーのレーザ光（赤色）を光ディスクの識別情報が記録されている領域に照射し、光ディスクからの反射光に基いて光ディスクの識別情報を再生して光ディスクの種類（ＤＶＤまたはＡＯＤ）を判別する（ステップＳ２４）。
【０１２４】
ステップＳ２４で装着された光ディスクがＤＶＤであると判別された場合には、ＤＶＤヘッドを光ディスクのユーザー情報等の記録及び／又は再生を行う所定位置に配置し、ＤＶＤヘッドの再生条件をそのままにしてユーザー情報等の記録及び／又は再生を行う（ステップＳ２５）。
【０１２５】
ステップＳ２４で装着された光ディスクがＡＯＤであると判別された場合には、光ヘッドをＤＶＤヘッドからＡＯＤヘッドに切り換えて、光ディスクにユーザー情報等を記録及び／又は再生を行う所定位置にＡＯＤヘッドを配置する（ステップＳ２６）。次いで、ＡＯＤヘッドの記録再生条件を設定する（ステップＳ２７）。次いで、ステップＳ２７で設定された記録再生条件でレーザ光（青色）を光ディスクの所定位置に照射してユーザー情報等の記録及び／又は再生を行う（ステップＳ２８）。
【０１２６】
一方、ステップＳ０でＳ１０の処理系統を選択した場合、光ディスクが情報記録再生装置に装着された際に光ディスクの判別に使用する光ヘッドとしてはＡＯＤヘッドが用いられ、次の手順で光ディスクの判別、並びに、ユーザー情報等の記録及び／又は再生が行われる。また、この例では、光ディスク判別時にＡＯＤヘッドから照射するレーザ光（青色）の再生パワーＰｒ２を調整して光ディスクの識別情報を再生する方法（実施例１の方法）を適用する。なお、光ディスクの識別情報を再生する際の青色レーザの照射可能な最大再生パワーＰｒ２ｍａｘの情報は、予め情報記録再生装置のメモリ等に記憶しておく。
【０１２７】
まず、情報記録再生装置に光ディスクを挿入する（ステップＳ１１）。次いで、ＡＯＤヘッドを駆動させて光ディスクの識別情報が記録されている領域（ＢＣＡ）上にＡＯＤヘッドを配置する（ステップＳ１２）。次いで、情報記録再生装置のメモリ等に記憶されている青色レーザの照射可能な最大再生パワーＰｒ２ｍａｘの情報を読み出して、光ディスク判別時の再生条件（青色レーザの再生パワーＰｒ２）を設定する（ステップＳ１３）。この際、ＡＯＤヘッドから照射するレーザ光の再生パワーＰｒ２を最大再生パワーＰｒ２ｍａｘ以下に設定する。次いで、設定された所定の再生パワーＰｒ２のレーザ光を光ディスクの識別情報が記録されている領域に照射し、光ディスクからの反射光に基いて光ディスクの識別情報を再生して光ディスクの種類（ＤＶＤまたはＡＯＤ）を判別する（ステップＳ１４）。
【０１２８】
ステップＳ１４で装着された光ディスクがＡＯＤであると判別された場合には、ＡＯＤヘッドを光ディスクのユーザー情報等の記録及び／又は再生を行う所定位置に配置し、ＡＯＤヘッドの記録再生条件を、ＡＯＤにユーザー情報等を記録及び／又は再生する際に用いる記録再生条件に設定する（ステップＳ１５）。次いで、ステップＳ１５で設定された記録再生条件で光ディスクの所定位置にレーザ光（青色）を照射してユーザー情報等の記録及び／又は再生を行う（ステップＳ１６）。
【０１２９】
ステップＳ１４で装着された光ディスクがＤＶＤであると判別された場合には、光ヘッドをＡＯＤヘッドからＤＶＤヘッドに切り換えて、ＤＶＤヘッドを光ディスクのユーザー情報等の記録及び／又は再生を行う所定位置に配置する（ステップＳ１７）。次いで、ＤＶＤヘッドの記録再生条件を設定する（ステップＳ１８）。次いで、ステップＳ１８で設定された記録再生条件でレーザ光（赤色）を光ディスクの所定位置に照射してユーザー情報等の記録及び／又は再生を行う（ステップＳ１９）。
【０１３０】
上記応用例では、ＡＯＤヘッドで光ディスクの種類を判別する際に、ＡＯＤヘッドからのレーザ光の再生パワーＰｒ２を調整する方法を説明したが、実施例３〜６のように、光ディスク判別時の光ディスクの線速度Ｖ２またはＡＯＤヘッドから光ディスクに照射されるレーザ光のスポット面積の拡大率αを調整する方法を用いても良い。
【０１３１】
上記実施例１〜６及び応用例では、ＤＶＤ−ＲとＡＯＤを判別する方法を説明したが、本発明はこれに限定されず、本発明の光ディスクの識別方法は、ＣＤ−Ｒ等の他の光ディスクが情報記録再生装置に装着されるような場合にも同様に適用可能であり、同様の効果が得られる。
【０１３２】
上記実施例１〜６及び応用例では、ＤＶＤヘッド及びＡＯＤヘッドを個別に備える方式について説明したが、本発明はこれに限定されず、対物レンズ等の光学部材を共通化し、レーザ光源を切り換えることによりレーザ光のスポット径を切り換える方式を用いても良い。この場合も、上記実施例１〜６及び応用例と同様の効果が得られる。
【産業上の利用可能性】
【０１３３】
本発明の光ディスクの識別方法では、青色レーザを搭載した光ヘッドで光ディスクの判別が可能になり、さらに、装着された光ディスクがＤＶＤのような赤色レーザ対応の光ディスクであっても、光ディスクに記録された情報を破壊することなく光ディスクの判別を行うことができる。それゆえ、情報記録再生装置に装着された光ディスクがＡＯＤのように青色レーザ対応の光ディスクである場合には、光ディスクの判別動作からユーザー情報等の記録及び／又は再生動作に移行する際に光ヘッドを切り換える必要が無くなるので、光ディスクが挿入された際の光ディスク判別からユーザー情報等の記録及び／又は再生開始までの時間を短縮することができる。それゆえ、将来、光ディスクの使用頻度が赤色レーザ対応の光ディスクより青色レーザ対応の光ディスクの方が増大した場合に、本発明の光ディスクの識別方法は、光ディスク判別からユーザー情報等の記録及び／又は再生開始までの時間を短くするという観点では有利になる。従って、本発明の光ディスクの識別方法は、大容量規格の光ディスクの使用頻度の増大が予想される次世代の情報記録再生システムに好適な識別方法である。
【図面の簡単な説明】
【０１３４】
【図１】図１は、ＤＶＤヘッドでＤＶＤ−Ｒにレーザ光を照射した際のレーザパワーに対する再生信号の振幅変化を示した図である。
【図２】図２は、実施例１で用いたＡＯＤの概略断面図である。
【図３】図３は、実施例１で用いたＤＶＤ−Ｒの概略断面図である。
【図４】図４は、実施例１における情報の記録再生の手順を示したフローチャートである。
【図５】図５は、ＡＯＤヘッドでＤＶＤ−Ｒにレーザ光を照射した際のレーザパワーに対する再生信号の振幅変化を示した図である。
【図６】図６は、実施例５でレーザ光をフォーカス制御する際のＳ字曲線である。
【図７】図７は、応用例の記録再生システムにおける情報の記録再生の手順を示したフローチャートである。
【符号の説明】
【０１３５】
２０  ＡＯＤ
３０  ＤＶＤ−Ｒ
【図１】
2006120199.tif 000005
【図２】
2006120199.tif 000006
【図３】
2006120199.tif 000007
【図４】
2006120199.tif 000008
【図５】
2006120199.tif 000009
【図６】
2006120199.tif 000010
【図７】
2006120199.tif 000011